(57)【要約】【課題】効率的に諸事項の確認が容易な保守点検支援システムを提供する。【解決手段】入力手段４２０のリスト作成要求の入力操作にて、リスト作成手段４５２により、あらかじめ作成し確認事項情報データベース４６１に記憶した保守点検事項を適宜選出し、１つのチェックリストを作成する。通信手段４４０を介して、保守点検の作業者が携帯する端末装置にチェックリストを表示可能に配信する。作業者が端末装置のチェックリストの表示に従って保守点検を実施し、保守点検した旨のチェックや測定結果などの確認事項を設定入力する。この設定入力した確認事項を、通信手段４４０にてサーバ装置４００に受信し、確認情報データベースに記憶する。端末装置からの要求により、受信した確認情報を各端末装置に配信する。第３者が確認でき、確実で効率的な保守点検ができる。【選択図】  図２
2004227307.tif 000002
【特許請求の範囲】
【請求項１】
確認事項に関する複数の確認事項情報を記憶する記憶手段と、
前記複数の確認事項情報を適宜選出し、前記確認事項情報に対応して確認した内容に関する確認情報の設定入力を促すチェックリストに関するチェックリスト情報を作成するリスト作成手段と、
前記チェックリスト情報を端末装置に配信するとともに、前記チェックリストに基づいて設定入力された前記確認情報を前記端末装置へ配信可能に前記端末装置から受信する通信手段と、
を具備したことを特徴とした進捗管理装置。
【請求項２】
請求項１に記載の進捗管理装置において、
前記通信手段は、前記取得した確認情報を前記チェックリストに重畳して表示可能に配信する
ことを特徴とした進捗管理装置。
【請求項３】
請求項１または請求項２に記載の進捗管理装置において、
前記記憶手段は、前記チェックリスト情報を読み出し可能に記憶する
ことを特徴とした進捗管理装置。
【請求項４】
請求項１ないし請求項３のいずれかに記載の進捗管理装置において、
前記記憶手段は、前記通信手段にて前記取得した確認情報を読み出し可能に記憶する
ことを特徴とした進捗管理装置。
【請求項５】
請求項１ないし請求項４のいずれかに記載の進捗管理装置において、
前記記憶手段は、前記確認情報に基づいて確認状況を報告する報告情報を作成するための報告フォームを記憶し、
前記通信手段にて取得した前記確認情報に基づいて前記報告フォームを選出して前記報告情報を作成する報告情報作成手段を具備した
ことを特徴とした進捗管理装置。
【請求項６】
請求項１ないし請求項５のいずれかに記載の進捗管理装置において、
前記通信手段は、定期的に前記確認情報を取得する
ことを特徴とした進捗管理装置。
【請求項７】
請求項１ないし請求項６のいずれかに記載の進捗管理装置において、
前記チェックリストは、前記複数の確認事項情報が時系列で構成され、
前記通信手段による所定の確認情報の取得を認識することにより、この確認情報に対応する確認事項情報以降の確認事項情報に対応する確認事項の設定入力を可能とする設定入力規制手段を具備した
ことを特徴とした進捗管理装置。
【請求項８】
請求項１ないし請求項７のいずれかに記載の進捗管理装置において、
前記確認事項情報は、前記確認事項および各確認事項にそれぞれ関連付けられ所定の確認すべき事項の種別に関する種別事項を有して前記記憶手段に格納され、
前記リスト作成手段は、所定の事項に対する確認のための前記チェックリスト情報の作成を要求する旨のリスト作成要求を認識することにより、前記リスト作成要求を構成する前記所定の事項の種別に関する種別事項に基づいて前記記憶手段に格納された対応する前記確認事項情報を選出して前記チェックリストに関するチェックリスト情報を作成する
ことを特徴とした進捗管理装置。
【請求項９】
請求項８に記載の進捗管理装置において、
前記端末装置は、この端末装置の固有の情報の設定入力が可能で、
前記通信手段は、前記リスト作成要求を認識する際に認識する前記端末装置に関する固有情報を取得し、この固有情報に基づいて作成したチェックリストを所定の端末装置に配信する
ことを特徴とした進捗管理装置。
【請求項１０】
請求項１ないし請求項９のいずれかに記載の進捗管理装置において、
前記チェックリスト情報は、確認する被確認対象物に関する対象物情報を有して前記記憶手段に記憶され、
前記リスト作成手段は、所定の事項に対する確認のための前記チェックリスト情報の作成を要求する旨のリスト作成要求を認識することにより、前記リスト作成要求を構成する前記対象物情報に基づいて前記記憶手段に記憶された前記チェックリスト情報を選出する
ことを特徴とした進捗管理装置。
【請求項１１】
請求項１ないし請求項１０のいずれかに記載の進捗管理装置において、
前記記憶手段は、前記確認情報の設定入力を案内する設定入力案内情報を読み出し可能に記憶し、
前記チェックリスト情報は、前記設定入力案内情報を表示可能に前記記憶手段からの取得を要求する旨の案内取得要求情報の設定入力を促す入力情報を有した
ことを特徴とした進捗管理装置。
【請求項１２】
請求項１ないし請求項１１のいずれかに記載の進捗管理装置において、
前記通信手段にて所定の確認情報を取得することにより、前記所定の確認情報の設定入力を認識した旨の案内を報知する報知手段を具備した
ことを特徴とした進捗管理装置。
【請求項１３】
請求項１ないし請求項１２のいずれかに記載の進捗管理装置において、
前記確認事項情報の確認事項は、保守点検を実施する作業内容に関する事項である
ことを特徴とした進捗管理装置。
【請求項１４】
請求項１３に記載の進捗管理装置において、
前記確認情報は、保守点検を実施した作業結果に関する内容および保守点検を実施した旨の内容のうちの少なくともいずれか一方である
ことを特徴とした進捗管理装置。
【請求項１５】
請求項１ないし請求項１４のいずれかに記載の進捗管理装置と、
この進捗管理装置にネットワークを介して送受信可能に接続され、前記チェックリスト情報に基づくチェックリストを表示可能な表示手段、および、前記チェックリストに基づいて入力操作により確認した旨および確認した内容のうちの少なくともいずれか一方に関する確認情報を設定入力する入力手段を備えた端末装置と、
を具備したことを特徴とした進捗管理システム。
【請求項１６】
所定の事項について確認する内容に関する複数の確認事項を有したチェックリストを表示可能な表示手段、および、前記チェックリストに基づいて入力操作により確認した旨および確認した内容のうちの少なくともいずれか一方に関する確認情報を設定入力する入力手段を備えた複数の端末装置と、
ネットワークを介して前記端末装置に送受信可能に接続され、前記複数の確認事項に関する複数の確認事項情報を記憶する記憶手段、前記確認事項情報を適宜選出して前記チェックリストに関するチェックリスト情報を作成するリスト作成手段、および、前記チェックリスト情報を前記端末装置へ送信するとともに前記端末装置の入力手段にて設定入力される確認情報を前記複数の端末装置に配信可能に受信する通信手段を備えたサーバ装置と、
を具備したことを特徴とした進捗管理システム。
【請求項１７】
確認事項に対して確認した内容の設定入力に基づいて演算手段により確認の進捗管理を実施する進捗管理方法であって、
前記演算手段は、
前記確認事項に関する複数の確認事項情報を選出して前記確認事項情報に対応して確認した内容に関する確認情報の設定入力を促すチェックリストに関するチェックリスト情報を作成し、
この作成したチェックリスト情報を前記チェックリストを表示可能に端末装置に送信し、
前記端末装置にて前記表示されるチェックリストに基づいて設定入力された前記確認情報を配信可能に受信する
ことを特徴とする進捗管理方法。
【請求項１８】
請求項１７に記載の進捗管理方法を前記演算手段に実行させる
ことを特徴とした進捗管理プログラム。
【請求項１９】
請求項１８に記載の進捗管理プログラムが前記演算手段にて読み取り可能に記録された
ことを特徴とした進捗管理プログラムを記録した記録媒体。
【発明の詳細な説明】
【０００１】
【発明の属する技術分野】
本発明は、確認事項に対して確認した内容の設定入力に基づいて確認の進捗管理をする進捗管理装置、そのシステム、その方法、そのプログラム、および、そのプログラムを記録した記録媒体に関する。
【０００２】
【背景技術】
従来、例えば製油産業、コンクリート工業、セラミックス工業などの製造プラントや、発電所、変電所、水・ゴミ処理施設などの処理プラントなどの各種プラントにおいて、各部位の保守点検の際には、複数人による立ち会い・確認により、確実な保守点検を実施している。複数人による立ち会い・確認としては、例えば保守点検を委託する委託側および保守点検を受託する受託側、あるいは、保守点検を受託した業者および保守点検を実行する実務業者における双方の保守点検状況の確認などである。
【０００３】
そして、立ち会い・確認作業としては、保守点検の工程毎に実施方法や判定基準などがあらかじめ設定され、実施方法や判定基準などが記載された書類に基づいて実施される。具体的には、保守点検の項目毎に完成度を評価して、各項目毎に作業状況や内容、確認などを書類に記載し、次の工程に順次移行する。
【０００４】
しかしながら、保守点検を実施しつつ書類を記載するため、作業が繁雑となり、効率的に保守点検ができない。また、作業が繁雑となることから、場合によっては、保守点検の項目を見落として次の工程に移行し、十分な保守点検が得られなくなるおそれもある。そこで、例えば特開２００１−２７３１８４号公報や特開平１０−３２０４６３号公報に記載のように、作業者に携帯電話や通信端末機を所持させ、保守点検のためのチェックリストを携帯電話や通信端末機にチェックリストを取得させて書類の持ち運びの煩雑性を改善することが考えられる。
【０００５】
一方、プラントの保守点検の場合、操業停止期間の短縮化のために、各部位で平行して保守点検を実施する必要がある。そして、他の部位での保守点検後に保守点検が可能となる部位も少なくない。このような場合、他の部位での保守点検作業の進捗状況を確認する必要がある。しかしながら、例えば携帯電話などを用いて進捗状況を確認したのでは、双方で連絡のために作業が中断することとなり、効率的な保守点検が望めなくなる。さらには、保守点検中に保守点検の委託側などに保守の方法を確認するなどの場合、例えば作業終了後の定期報告で次の作業までに検討するなど、保守点検効率の向上が図りにくい。
【０００６】
また、保守点検の箇所毎にその作業内容が異なり、また同様なプラントでも、構成部位について構造を比較すると、各プラント毎に異なる構成となっている。このため、共通したチェックリストを用いることができず、保守点検毎に対応するチェックリストを作成する必要があり、保守点検のための準備に時間を要する。
【０００７】
【特許文献１】
特開２００１−２７３１８４号公報（第２頁右欄）
【特許文献２】
特開平１０−３２０４６３号公報（第１０頁左欄−第１２頁左欄）
【０００８】
【発明が解決しようとする課題】
上述したように、例えば各種プラントの保守点検の際に、特開２００１−２７３１８４号公報や特開平１０−３２０４６３号公報などに記載のようなネットワークを利用して書類による作業の効率化を図っても、各構成部位あるいはプラントで異なるチェックリストを作成して配信する必要がある。また、各箇所における保守点検の作業状況を迅速に認識することができないなどの問題がある。
【０００９】
本発明は、このような点に鑑みて、効率的に諸事項の確認が容易な進捗管理装置、進捗管理装置、そのシステム、その方法、そのプログラム、および、そのプログラムを記録した記録媒体を提供することを目的とする。
【００１０】
【課題を解決するための手段】
請求項１に記載の発明は、確認事項に関する複数の確認事項情報を記憶する記憶手段と、前記複数の確認事項情報を適宜選出し、前記確認事項情報に対応して確認した内容に関する確認情報の設定入力を促すチェックリストに関するチェックリスト情報を作成するリスト作成手段と、前記チェックリスト情報を端末装置に配信するとともに、前記チェックリストに基づいて設定入力された前記確認情報を前記端末装置へ配信可能に前記端末装置から受信する通信手段と、を具備したことを特徴とした進捗管理装置である。
【００１１】
この発明では、リスト作成手段により、記憶手段に記憶された確認事項に関する複数の確認事項情報を適宜選出し、確認事項情報に対して確認した内容に関する確認情報の設定入力を促すチェックリストに関するチェックリスト情報を作成し、通信手段にて端末装置に配信する。また、通信手段により、端末装置から設定入力された確認情報を適宜端末装置に配信可能に受信させる。このことにより、確認事項情報を統括して格納し、適宜確認する対象に対応してチェックリストを作成すればよく、例えば保守点検などの確認作業場所で所望のチェックリストの取得が容易で、書類の記載や持ち運びなどの煩雑さを解消し、効率よく保守点検などの諸事項の確認が容易となる。また、配信される他の端末装置からの確認情報により、第３者による確認がなされ、確実な確認が容易に得られるとともに、進捗状況や確認事項などの迅速な認識が容易に得られる。
【００１２】
請求項２に記載の発明は、請求項１に記載の進捗管理装置において、前記通信手段は、前記取得した確認情報を前記チェックリストに重畳して表示可能に配信することを特徴とする。
【００１３】
この発明では、通信手段により、端末装置から取得した確認情報をチェックリストに重畳して表示可能に配信する。このことにより、他の端末装置における確認情報の認識が容易となる。
【００１４】
請求項３に記載の発明は、請求項１または請求項２に記載の進捗管理装置において、前記記憶手段は、前記チェックリスト情報を読み出し可能に記憶することを特徴とする。
【００１５】
この発明では、記憶手段は、作成したチェックリスト情報をも読み出し可能に記憶する。このことにより、例えば従前の保守点検と同一の保守点検を実施する場合に、改めてチェックリストを作成する必要がなく、統括してチェックリストを管理することで、円滑な運用が図れる。
【００１６】
請求項４に記載の発明は、請求項１ないし請求項３のいずれかに記載の進捗管理装置において、前記記憶手段は、前記通信手段にて前記取得した確認情報を読み出し可能に記憶することを特徴とする。
【００１７】
この発明では、記憶手段は、通信手段にて取得した確認情報をも読み出し可能に記憶する。このことにより、確認情報を統括して管理することで、例えば保守点検などの確認結果に基づいて報告書を作成したり、確認情報に基づく確認した事項の動向判断のための資料とするなど、取得した情報の有効活用が容易で、運用性の向上が図れる。
【００１８】
請求項５に記載の発明は、請求項１ないし請求項４のいずれかに記載の進捗管理装置において、前記記憶手段は、前記確認情報に基づいて確認状況を報告する報告情報を作成するための報告フォームを記憶し、前記通信手段にて取得した前記確認情報に基づいて前記報告フォームを選出して前記報告情報を作成する報告情報作成手段を具備したことを特徴とする。
【００１９】
この発明では、報告情報作成手段により、通信手段にて取得した確認情報に基づいて、記憶手段に記憶された報告フォームを選出して確認情報を報告するための報告情報を作成する。このことにより、自動的に確認情報を報告するための報告情報が作成され、確認情報に基づく報告が容易となり、円滑な運用が容易に図れる。
【００２０】
請求項６に記載の発明は、請求項１ないし請求項５のいずれかに記載の進捗管理装置において、前記通信手段は、定期的に前記確認情報を取得することを特徴とする。
【００２１】
この発明では、通信手段にて定期的に確認情報を取得させる。このことにより、端末装置にて配信する旨の操作を実施する必要がなく、第３者による統括的な確認情報の取得により、確実な確認が効率的に得られる。
【００２２】
請求項７に記載の発明は、請求項１ないし請求項６のいずれかに記載の進捗管理装置において、前記チェックリストは、前記複数の確認事項情報が時系列で構成され、前記通信手段による所定の確認情報の取得を認識することにより、この確認情報に対応する確認事項情報以降の確認事項情報に対応する確認事項の設定入力を可能とする設定入力規制手段を具備したことを特徴とする。
【００２３】
この発明では、複数の確認事項情報が時系列で構成されたチェックリストに基づいて所定の確認情報が設定入力されて通信手段にて取得したことを認識すると、設定入力規制手段により、所定の確認情報に対応する確認事項情報以降の確認事項情報に対応する確認事項の設定入力を可能とする。このことにより、所定の確認がなされないと、次の確認に移行できなくなり、確実な確認が容易に得られる。
【００２４】
請求項８に記載の発明は、請求項１ないし請求項７のいずれかに記載の進捗管理装置において、前記確認事項情報は、前記確認事項および各確認事項にそれぞれ関連付けられ所定の確認すべき事項の種別に関する種別事項を有して前記記憶手段に格納され、前記リスト作成手段は、所定の事項に対する確認のための前記チェックリスト情報の作成を要求する旨のリスト作成要求を認識することにより、前記リスト作成要求を構成する前記所定の事項の種別に関する種別事項に基づいて前記記憶手段に格納された対応する前記確認事項情報を選出して前記チェックリストに関するチェックリスト情報を作成することを特徴とする。
【００２５】
この発明では、確認事項に所定の確認すべき事項の種別に関する種別事項をそれぞれ関連付けて確認事項情報を記憶手段に格納し、所定の事項に対する確認のためのチェックリスト情報の作成を要求する旨のリスト作成要求を認識することにより、リスト作成手段により、リスト作成要求を構成する所定の事項の種別に関する種別事項に基づいて記憶手段に格納された対応する確認事項情報を選出してチェックリストに関するチェックリスト情報を作成する。このことにより、端末装置における所望のチェックリストの取得が容易に得られる。
【００２６】
請求項９に記載の発明は、請求項８に記載の進捗管理装置において、前記端末装置は、この端末装置の固有の情報の設定入力が可能で、前記通信手段は、前記リスト作成要求を認識する際に認識する前記端末装置に関する固有情報を取得し、この固有情報に基づいて作成したチェックリストを所定の端末装置に配信することを特徴とする。
【００２７】
この発明では、リスト作成要求の認識の際に端末装置の固有の情報を取得して、通信手段により、取得した固有情報に基づいて作成したチェックリストを所定の端末装置に配信する。このことにより、端末装置毎で所望のチェックリストの配信が容易となる。
【００２８】
請求項１０に記載の発明は、請求項１ないし請求項９のいずれかに記載の進捗管理装置において、前記チェックリスト情報は、確認する被確認対象物に関する対象物情報を有して前記記憶手段に記憶され、前記リスト作成手段は、所定の事項に対する確認のための前記チェックリスト情報の作成を要求する旨のリスト作成要求を認識することにより、前記リスト作成要求を構成する前記対象物情報に基づいて前記記憶手段に記憶された前記チェックリスト情報を選出することを特徴とする。
【００２９】
この発明では、確認する被確認対象物に関する対象物情報を関連付けてチェックリスト情報を記憶手段に記憶し、所定の事項に対する確認のためのチェックリスト情報の作成を要求する旨のリスト作成要求を認識することにより、リスト作成要求を構成する対象物情報に基づいて記憶手段に記憶されたチェックリスト情報を選出する。このことにより、従前に実施した確認と同内容の確認を実施する際に改めてチェックリストを作成することなく、統括して格納されたチェックリストから選出するのみで容易に取得可能となる。
【００３０】
請求項１１に記載の発明は、請求項１ないし請求項１０のいずれかに記載の進捗管理装置において、前記記憶手段は、前記確認情報の設定入力を案内する設定入力案内情報を読み出し可能に記憶し、前記チェックリスト情報は、前記設定入力案内情報を表示可能に前記記憶手段からの取得を要求する旨の案内取得要求情報の設定入力を促す入力情報を有したことを特徴とする。
【００３１】
この発明では、確認情報の設定入力を案内する設定入力案内情報を記憶手段から取得することを要求する旨の入力情報をチェックリスト情報に設ける。このことにより、端末装置にてチェックリストに基づいて確認情報を設定入力することが、設定入力案内情報に基づいて容易となり、効率的な確認が容易に得られる。
【００３２】
請求項１２に記載の発明は、請求項１ないし請求項１１のいずれかに記載の進捗管理装置において、前記通信手段にて所定の確認情報を取得することにより、前記所定の確認情報の設定入力を認識した旨の案内を報知する報知手段を具備したことを特徴とする。
【００３３】
この発明では、通信手段にて所定の確認情報を取得することにより、報知手段にてその旨の案内を報知する。このことにより、確認情報の設定入力により確認がなされたことの認識や、例えば各端末装置に案内を報知させる構成とすることで他の端末装置などにて確認の状況の認識が容易となり、円滑な運用が容易に得られる。ここで、案内とは、アラーム音やブザー音、あるいは音声などの発音、また所定の文字表示や点滅表示など、所定の情報の設定入力がなされたことを認識させることが可能ないずれの案内方法が適用可能である。
【００３４】
請求項１３に記載の発明は、請求項１ないし請求項１２のいずれかに記載の進捗管理装置において、前記確認事項情報の確認事項は、保守点検を実施する作業内容に関する事項であることを特徴とする。
【００３５】
この発明では、確認事項として保守点検を実施する作業内容に関する事項とする。このことにより、例えばプラントなどの各種確認事項が複数あり確認する部位でもチェックリストの内容が異なるような保守点検の確認の際に特に有効で、効率化が容易に図れる。
【００３６】
請求項１４に記載の発明は、請求項１３に記載の進捗管理装置において、前記確認情報は、保守点検を実施した作業結果に関する内容および保守点検を実施した旨の内容のうちの少なくともいずれか一方であることを特徴とする。
【００３７】
この発明では、確認情報として保守点検を実施した作業結果に関する内容および保守点検を実施した旨の内容のうちの少なくともいずれか一方とする。このことにより、例えば確認のみあるいは数値測定、部材の交換などの確認内容が多岐となる特にプラントなどの保守点検の場合に有効で、保守点検の状況や内容の認識が容易となる。
【００３８】
請求項１５に記載の発明は、請求項１ないし請求項１４のいずれかに記載の進捗管理装置と、この進捗管理装置にネットワークを介して送受信可能に接続され、前記チェックリスト情報に基づくチェックリストを表示可能な表示手段、および、前記チェックリストに基づいて入力操作により確認した旨および確認した内容のうちの少なくともいずれか一方に関する確認情報を設定入力する入力手段を備えた端末装置と、を具備したことを特徴とした進捗管理システムである。
【００３９】
この発明では、請求項１ないし請求項１４のいずれかに記載の進捗管理装置に、ネットワークを介して、端末装置の表示手段で表示可能なチェックリストの配信、端末装置の入力手段にて設定入力される確認情報の受信や配信が可能に端末装置を接続する。このことにより、効率よく例えば保守点検などの諸事項の確実で迅速な確認が容易に得られる。
【００４０】
請求項１６に記載の発明は、所定の事項について確認する内容に関する複数の確認事項を有したチェックリストを表示可能な表示手段、および、前記チェックリストに基づいて入力操作により確認した旨および確認した内容のうちの少なくともいずれか一方に関する確認情報を設定入力する入力手段を備えた複数の端末装置と、ネットワークを介して前記端末装置に送受信可能に接続され、前記複数の確認事項に関する複数の確認事項情報を記憶する記憶手段、前記確認事項情報を適宜選出して前記チェックリストに関するチェックリスト情報を作成するリスト作成手段、および、前記チェックリスト情報を前記端末装置へ送信するとともに前記端末装置の入力手段にて設定入力される確認情報を前記複数の端末装置に配信可能に受信する通信手段を備えたサーバ装置と、を具備したことを特徴とした進捗管理システムである。
【００４１】
この発明では、サーバ装置のリスト作成手段により、記憶手段に記憶された確認事項に関する複数の確認事項情報を適宜選出し、確認事項情報に対して確認した内容に関する確認情報の設定入力を促すチェックリストに関するチェックリスト情報を作成し、通信手段にて端末装置の表示手段に表示可能に配信する。また、通信手段により、端末装置の入力手段にてチェックリストに基づいて設定入力された確認情報を適宜複数の端末装置に配信可能にサーバ装置で受信する。このことにより、確認事項情報を統括して格納し、適宜確認する対象に対応して端末装置にチェックリストを作成して送信すればよく、例えば保守点検などの確認作業場所で所望のチェックリストの取得が容易で、書類の記載や持ち運びなどの煩雑さを解消し、効率よく保守点検などの諸事項の確認が容易となる。また、配信される他の端末装置からの確認情報により、第３者による確認がなされ、確実な確認が容易に得られるとともに、進捗状況や確認事項などの迅速な認識が容易に得られる。
【００４２】
請求項１７に記載の発明は、確認事項に対して確認した内容の設定入力に基づいて演算手段により確認の進捗管理を実施する進捗管理方法であって、前記演算手段は、前記確認事項に関する複数の確認事項情報を選出して前記確認事項情報に対応して確認した内容に関する確認情報の設定入力を促すチェックリストに関するチェックリスト情報を作成し、この作成したチェックリスト情報を前記チェックリストを表示可能に端末装置に送信し、前記端末装置にて前記表示されるチェックリストに基づいて設定入力された前記確認情報を配信可能に受信することを特徴とする進捗管理方法である。
【００４３】
この発明では、演算手段により、確認事項に関する複数の認識事項情報を選出して確認事項情報に対応して確認した内容に関する確認情報の設定入力を促すチェックリストに関するチェックリスト情報を作成して表示可能に端末装置に送信し、端末装置で設定入力された確認情報を配信可能に受信する。このことにより、確認事項情報を統括して格納し、適宜確認する対象に対応して端末装置にチェックリストを作成して送信すればよく、例えば保守点検などの確認作業場所で所望のチェックリストの取得が容易で、書類の記載や持ち運びなどの煩雑さを解消し、効率よく保守点検などの諸事項の確認が容易となる。また、配信される他の端末装置からの確認情報により、第３者による確認がなされ、確実な確認が容易に得られるとともに、進捗状況や確認事項などの迅速な認識が容易に得られる。
【００４４】
請求項１８に記載の発明は、請求項１７に記載の進捗管理方法を前記演算手段に実行させることを特徴とした進捗管理プログラムである。
【００４５】
この発明では、例えば汎用のコンピュータなどの演算手段を利用して演算手段にインストールすることにより請求項１７に記載の進捗管理方法を演算手段に実行させることができ、本発明の利用促進を大幅に図ることができる。
【００４６】
請求項１９に記載の発明は、請求項１８に記載の進捗管理プログラムが前記演算手段にて読み取り可能に記録されたことを特徴とした進捗管理プログラムを記録した記録媒体である。
【００４７】
この発明では、請求項１７に記載の進捗管理方法を実行させるための請求項１８に記載の進捗管理プログラムを記録媒体に記録させるので、進捗管理プログラムの取扱が容易で、本発明の利用促進を大幅に図ることができる。
【００４８】
なお、請求項１７ないし請求項１９に記載の発明において、演算手段は、例えば１つのパーソナルコンピュータ、複数のコンピュータをネットワーク状に組み合わせた構成、マイクロコンピュータなどの素子、あるいは複数の電子部品が搭載された回路基板などをも含む。
【００４９】
【発明の実施の形態】
以下、本発明の実施の一形態を図面に基づいて説明する。なお、本実施の形態では、進捗管理システムとして、被確認対象物としてのプラントの確認である保守点検を支援する保守点検支援システムである工事品質管理支援システムを用いて説明する。なお、被確認対象物としては、製造プラントや処理プラントなどのプラントに限らず、自動車や船舶などの輸送機、製造機械、測定装置、家電機器など、あらゆるメンテナンスである保守点検などの確認を要するものが対象となる。図１は、工事品質管理支援システムの概略構成を示す概念図である。図２は、サーバ装置の構成を示すブロック図である。
【００５０】
〔工事品質管理支援システムの構成〕
図１に示すように、工事品質管理支援システム１００は、端末装置２００と、端末装置としての本部端末装置３００と、図示しないネットワークと、サーバ装置４００と、を備えている。この工事品質管理支援システム１００は、被確認対象物の保守点検の際に、適宜端末装置２００や本部端末装置３００とサーバ装置４００とを、ネットワークを介して各種情報の送受信を実行して保守点検における工事品質の管理を支援するシステムである。
【００５１】
ネットワークは、端末装置２００とサーバ装置４００との間、および、本部端末装置３００とサーバ装置４００との間を、各種情報を送受信可能に接続する。例えば、ＴＣＰ／ＩＰなどの汎用のプロトコルに基づくインターネット、ＬＡＮ（Ｌｏｃａｌ  Ａｒｅａ  Ｎｅｔｗｏｒｋ）などのイントラネット、無線媒体により情報が送受信可能な複数の基地局がネットワークを構成する通信回線網や放送網などのネットワーク、さらには、端末装置２００とサーバ装置４００との間および本部端末装置３００とサーバ装置４００との間で直接情報を送受信するための媒体となる無線媒体自体など、情報を送受信させるいずれの構成が利用できる。
【００５２】
端末装置２００は、例えば携帯電話やＰＨＳ（Ｐｅｒｓｏｎａｌ  Ｈａｎｄｙｐｈｏｎｅ  Ｓｙｓｔｅｍ）、携帯情報端末（ＰＤＡ：Ｐｅｒｓｏｎａｌ  Ｄｉｇｉｔａｌ  Ａｓｓｉｓｔａｎｔ）、移動可能なノート型のパーソナルコンピュータ、タブレットＰＣなどの携帯通信端末で、保守点検を実施する作業者などに携帯され、作業者による被確認対象物の保守点検の際、作業内容の確認、作業状況や作業結果などの各種情報の設定入力などに利用される。なお、図１は、端末装置２００としてＰＤＡを用いて示した例である。この端末装置２００は、端末表示手段２１０と、端末入力手段２２０と、端末発音手段２３０と、図示しない端末通信手段と、図示しない端末演算手段と、を備えている。
【００５３】
端末表示手段２１０は、端末演算手段にて制御され、端末演算手段からの画像データを画面表示する。端末表示手段２１０としては、例えば液晶や有機ＥＬ（ｅｌｅｃｔｏｒｏｌｕｍｉｎｅｓｃｅｎｃｅ）パネル、ＰＤＰ（Ｐｌａｓｍａ  Ｄｉｓｐｌａｙ  Ｐａｎｅｌ）、ＣＲＴ（Ｃａｔｈｏｄｅ−Ｒａｙ  Ｔｕｂｅ）などが用いられる。
【００５４】
端末入力手段２２０は、入力操作される各種操作ボタン２２１を有している。そして、端末入力手段２２０は、適宜操作ボタン２２１の入力操作により、対応する所定の信号を端末演算手段へ出力して各種情報を設定入力する。なお、端末入力手段２２０は、操作ボタン２２１の入力操作に限らず、例えば端末表示手段２１０に設けられたタッチパネルによる入力操作や、音声による入力操作などにより、各種情報を設定入力してもよい。
【００５５】
端末発音手段２３０は、例えばスピーカやブザーなどを有し、端末演算手段にて制御され、音声やアラーム音、ブザー音などを発音する。
【００５６】
端末通信手段は、ネットワークを介してサーバ装置４００と各種情報を送受信する。
【００５７】
端末演算手段は、図示しない内蔵メモリを有している。この内蔵メモリには、端末装置２００全体を動作制御するＯＳ（Ｏｐｅｒａｔｉｎｇ  Ｓｙｓｔｅｍ）上に展開される各種プログラムなどを記憶している。そして、端末演算手段には、端末表示手段２１０、端末入力手段２２０、端末発音手段２３０および端末通信手段が接続され、各種動作を制御する。
【００５８】
本部端末装置３００は、例えば移動が可能なノート型のパーソナルコンピュータなどで、端末装置２００と同様に、端末表示手段２１０に対応する本部表示手段３１０と、端末入力手段２２０に対応するキーボードなどの操作ボタン３２１を有した本部入力手段３２０と、端末発音手段２３０に対応する図示しない本部発音手段と、端末通信手段に対応する図示しない本部通信手段と、端末演算手段に対応する図示しない本部演算手段と、を有している。
【００５９】
また、端末装置２００は、適宜印刷装置、例えば携帯型の印刷装置が着脱可能に接続され、紙に印刷することによるチェックリストなどの各種データの出力にて確認や運用ができるように構成されている。そして、タブレットＰＣなどのように、印刷装置が一体型の構成とした場合には、印刷装置を別途接続する必要がなく利便性がよい。なお、印刷出力しない構成としてもよい。
【００６０】
サーバ装置４００は、各種情報を読み出し可能に格納するとともに、送受信される各種情報を適宜処理する。このサーバ装置４００は、図１および図２に示すように、表示手段４１０と、入力手段４２０と、発音手段４３０と、通信手段４４０と、演算手段４５０と、記憶手段４６０と、を有している。
【００６１】
表示手段４１０は、端末表示手段２１０および本部表示手段３１０と同様に、例えば液晶や有機ＥＬパネル、ＰＤＰ、ＣＲＴなどが用いられ、演算手段４５０にて制御され、演算手段４５０からの画像データを画面表示する。
【００６２】
入力手段４２０は、端末入力手段２２０および本部入力手段３２０と同様に、例えばキーボードなどの各種操作ボタン４２１を有し、適宜操作ボタン４２１の入力操作により、対応する所定の信号を演算手段４５０へ出力して各種情報を設定入力する。なお、この入力手段４２０も、設定入力する構成としては、操作ボタン４２１に限らず、表示手段４１０のタッチパネル、音声入力など、いずれの構成が利用できる。
【００６３】
発音手段４３０は、端末入力手段２２０および本部入力手段３２０と同様に、例えばスピーカやブザーなどを有し、端末演算手段にて制御され、音声やアラーム音、ブザー音などを発音する。
【００６４】
通信手段４４０は、ネットワークを介して端末装置２００および本部端末装置３００との間で各種送受信を送受信させる。すなわち、演算手段４５０からの各種情報を端末装置２００や本部端末装置３００へ送信するとともに、端末装置２００や本部端末装置３００からの各種情報を受信する。
【００６５】
演算手段４５０には、表示手段４１０、入力手段４２０、発音手段４３０および通信手段４４０が接続されて動作制御する。また、演算手段４５０には記憶手段４６０が接続され、各種情報の読み出しおよび記憶を制御する。そして、演算手段４５０は、サーバ装置４００全体を動作制御するＯＳ上に展開される各種プログラムとしての、リスト作成要求認識手段４５１と、リスト作成手段４５２と、確認情報取得手段４５３と、報告情報作成手段４５４と、報知制御手段４５５と、を備えている。
【００６６】
リスト作成要求認識手段４５１は、入力手段４２０による設定入力、または、通信手段４４０によりネットワークを介して端末装置２００や本部端末装置３００で設定入力されたリスト作成要求に関するリスト作成要求情報を取得する。そして、リスト作成要求認識手段４５１は、リスト作成要求情報を取得することにより、所定の信号をリスト作成手段４５２に出力する。
【００６７】
リスト作成手段４５２は、リスト作成要求認識手段４５１からの信号を認識することにより、確認事項である保守点検事項に基づいて、保守点検を実施するための品質管理チェックシートであるチェックリストに関するチェックリスト情報を作成する。保守点検事項としては、詳細は後述するが、例えば保守点検する部位、保守点検の内容である損傷モード、保守点検の方法である検査方法、保守点検の判断基準などの事項である。
【００６８】
確認情報取得手段４５３は、ネットワークを介して通信手段４４０により受信された、端末装置２００や本部端末装置３００から設定入力された保守点検の結果に基づく内容や確認などの確認情報を取得する。この確認情報としては、詳細は後述するが、例えば保守点検の結果についての情報、保守点検により施した処置内容についての情報、保守点検時や保守点検後の立ち会い確認などの実施の有無についての情報、保守点検の結果における評価についての情報、立ち会い確認の際の範囲である区分についての情報、保守点検の際に処置した部品に関する部品情報、保守点検の際に処置した部品の数量についての情報などである。そして、取得した確認情報は、演算手段４５０の制御により記憶手段４６０に出力されて格納、すなわち記憶される。
【００６９】
報告情報作成手段４５４は、記憶手段４６０に格納された所定の報告フォームに基づいて、確認情報取得手段４５３で取得した確認情報に基づいて報告書を作成する。
【００７０】
報知制御手段４５５は、発音手段４３０や端末発音手段２３０あるいは本部発音手段３３０と同様に、音声やアラーム音あるいはブザー音などが接続され、適宜発音させる制御をする。
【００７１】
記憶手段４６０は、演算手段４５０にて制御され、各種情報を読み出し可能に記憶する。そして、記憶手段４６０は、確認事項情報格納手段としての確認事項情報データベース４６１と、リスト情報格納手段としてのチェックリストデータベース４６２と、確認情報格納手段としての確認情報データベース４６３と、案内情報格納手段としての案内情報データベース４６４と、を備えている。
【００７２】
確認事項情報データベース４６１は、保守点検事項に関する確認事項情報としての保守点検事項情報を読み出し可能に記憶する。この確認事項情報データベース４６１は、例えば部位や部品、検査方法、判定基準などの各保守点検項目や、、例えば中止、範囲縮小、検査方法の変更などの保守点検の内容変更、摩耗や腐食、変形、スケール付着、良好などの検査結果などを１つのレコードとして記録されるテーブル構造である。
【００７３】
チェックリストデータベース４６２は、演算手段４５０のリスト作成手段４５２にて作成されたチェックリスト情報を読み出し可能に記憶する。すなわち、チェックリストデータベース４６２は、チェックリスト情報を構成する各種情報を１つのレコードとして記録するデータベース構造となっている。
【００７４】
確認情報データベース４６３は、演算手段４５０の確認情報取得手段４５３にてネットワークを介して端末装置２００や本部端末装置３００から取得した確認情報を読み出し可能に記憶する。すなわち、確認情報データベース４６３は、確認情報を１つのレコードとして記録するデータベース構造となっている。
【００７５】
案内情報データベース４６４は、保守点検を実施する上で保守点検作業を案内あるいは補助、参考などとするための各種案内情報が読み出し可能に記憶されている。この案内情報データベース６４６は、例えば保守点検の際や保守点検後の報告書の作成の際などに利用する図面などの画像データなどのデータを１つのレコードとして記録する。
【００７６】
〔工事品質管理支援システムの動作〕
次に、上記工事品質管理支援システム１００の動作について図面を参照して説明する。
【００７７】
（工事品質管理支援システムの準備動作）
まず、保守点検を実施する際に工事品質管理支援システム１００を利用するための準備動作について図３を用いて説明する。図３は、工事品質管理支援システムの運用準備動作を示すフローチャートである。図４は、工事品質管理支援システムを利用するための準備動作を示すフローチャートである。
【００７８】
保守点検指示である工事指示があると、チェックリストの作成、すなわち品質管理チェックシートの作成と、種別事項情報の設定入力とを実施する。具体的には、図３に示すように、本部端末装置３００にて品質管理チェックシートを作成し（ステップＳ１）、サーバ装置４００に設定、いわゆるアップデートしたり（ステップＳ２）、直接サーバ装置４００で品質管理チェックシートを作成して設定する。さらに、本部端末装置３００からの設定入力やサーバ装置４００から直接設定入力するなどにより、チェックリスト情報の保守点検する被確認対象物の種別に関する種別事項情報を設定入力する（ステップＳ３）。この種別事項情報は、例えば被確認対象物を特定する情報や保守点検である工事を特定する情報などである。この後、図３および図４に示すように、サーバ装置４００から所定の端末装置２００にチェックリスト情報を配信する処理をし（ステップＳ４）、指示された工事に対応した工事品質管理支援システム１００の運用が可能な状態となる。
【００７９】
（品質管理チェックシートの作成）
以下に、工事品質管理支援システム１００の準備の際の品質管理チェックシートを作成する動作について、図面を参照してより詳細に説明する。なお、ここでは、本部端末装置３００から設定入力する場合について説明するが、上述したように、サーバ装置４００で直接設定入力してもよい。
【００８０】
図５は、工事品質管理支援システムにおけるメインメニューウィンドの画面表示を示す説明図である。図６は、パスワード入力ウィンドの画面表示を示す説明図である。図７は、管理マスタ作成ウィンドの画面表示を示す説明図である。図８は、管理区分ウィンドの画面表示を示す説明図である。図９は、チェックシート設定ウィンドの画面表示を示す説明図である。図１０は、チェックシート作成ウィンドの画面表示を示す説明図である。図１１は、検査記録設定ウィンドの画面表示を示す説明図である。図１２は、シート編集ウィンドの画面表示を示す説明図である。図１３は、入力範囲設定ウィンドの画面表示を示す説明図である。図１４は、表示範囲設定ウィンドの画面表示を示す説明図である。図１５は、画像ファイル設定ウィンドの画面表示を示す説明図である。図１６は、ＩＴＥＭ番号設定ウィンドの画面表示を示す説明図である。図１７は、担当者設定ウィンドの画面表示を示す説明図である。図１８は、担当者編集ウィンドの画面表示を示す説明図である。図１９は、権限設定ウィンドの画面表示を示す説明図である。図２０は、端末設定ウィンドの画面表示を示す説明図である。図２１は、端末編集ウィンドの画面表示を示す説明図である。図２２は、安全管理項目設定ウィンドの画面表示を示す説明図である。なお、図５ないし図２２に示す画面表示は、例えばウエッブブラウザによる画面表示やその他の画面表示ソフトウェアなど、適宜利用される。
【００８１】
まず、本部端末装置３００で本部入力手段３２０の入力操作により、工事品質管理支援システム１００のアプリケーションソフトウェアを起動し、図５に示すように、工事品質管理のためのメインメニューウィンド５１０を表示させる。
【００８２】
この図５に示すメインメニューウィンド５１０には、例えば、管理マスタ作成コマンドボタン５１１と、工事管理コマンドボタン５１２と、検査コマンドボタン５１３と、終了コマンドボタン５１４と、が設けられている。管理マスタ作成コマンドボタン５１１は、入力操作されると、工事品質管理のためのマスタである管理マスタを作成するための画面表示を表示させる。工事管理コマンドボタン５１２は、入力操作により、工事指示された内容の種別事項情報を設定入力するための画面表示を表示させる。検査コマンドボタン５１３は、保守点検に利用する技術標準や図面などの資料、作成された報告書、保守点検状況である進捗状態や履歴、などの画面表示を表示させる。終了コマンドボタン５１４は、工事品質管理支援システム１００のアプリケーションソフトウェアを終了させるためのボタンである。
【００８３】
そして、チェックリストを作成する場合には、管理マスタ作成コマンドボタン５１１を入力操作、すなわち選択してクリックする動作をする。この管理マスタ作成コマンドボタン５１１の入力操作により、図６に示すような画面表示で表示されるパスワード入力ウィンド５２０が表示される。このパスワード入力ウィンド５２０には、パスワードが入力可能なテキストボックス５２１と、入力されたパスワードを照合する処理を実行させるコマンドボタン５２２と、入力されたパスワードの誤入力などのために入力を削除するコマンドボタン５２３と、メインメニューウィンド５１０を表示させるコマンドボタン５２４と、が設けられている。
【００８４】
このパスワード入力ウィンド５２０でテキストボックス５２１に所定のパスワードが入力され、コマンドボタン５２２が入力操作されると、本部端末装置３００の本部演算手段は、本部端末装置３００の図示しない記憶手段にあらかじめ設定されたパスワードと照合させ、一致する場合には、図７に示すような画面表示で表示される管理マスタ作成ウィンド５３０を表示させる。なお、このパスワードの照合の処理では、例えば本部通信手段によりサーバ装置４００と接続させ、サーバ装置４００の記憶手段４６０にあらかじめ記憶されたパスワードと照合させる処理をしてもよい。また、パスワードが一致しない場合には、例えば入力したパスワードが不一致であり、再入力を促す表示がされる。
【００８５】
また、パスワードが一致することを認識した後に再びメインメニューウィンド５１０に戻り、さらにコマンドボタン５１１〜５１３が入力操作された場合には、パスワード入力ウィンド５２０を表示させず、直接各画面表示を表示させるようにしてもよい。この構成により、パスワードの照合が１回でよく、操作性および処理効率を向上できる。
【００８６】
そして、図７に示す管理マスタ作成ウィンド５３０には、管理区分コマンドボタン５３１と、チェックシートコマンドボタン５３２と、検査記録コマンドボタン５３３と、ＩＴＥＭ番号コマンドボタン５３４と、担当者コマンドボタン５３５と、権限コマンドボタン５３６と、端末コマンドボタン５３７と、安全管理コマンドボタン５３８と、入力操作によりこの管理マスタ作成ウィンド５３０を閉じてメインメニューウィンド５１０を表示させるための戻りコマンドボタン５３９と、が設けられている。
【００８７】
管理区分コマンドボタン３２１は、入力操作により、管理区分すなわち保守点検する対象の分類を設定入力するための画面表示を表示させる。具体的には、図８に示すような画面表示で表示される管理区分ウィンド５４０が表示される。
【００８８】
この管理区分ウィンド５４０には、保守点検する対象の分類、例えば動機械、静機械、電気、計装、検査などの対象区分が例えばＣＳＶ形式で複数表示されるリストボックス５４１と、このリストボックス５４１に表示させる対象区分を追加するためのコマンドボタン５４２と、リストボックス５４１に表示された対象区分のいずれかを編集、例えば名称の変更などをするコマンドボタン５４３と、リストボックス５４１に表示された対象区分のいずれかを削除するコマンドボタン５４４と、管理区分ウィンド５４０を閉じて管理マスタ作成ウィンド５３０を表示させるためのコマンドボタン５４５と、が設けられている。
【００８９】
そして、コマンドボタン５４２，５４３を入力操作し、例えばリストボックス５４１の空白の領域や表示された対象区分にカーソルを移動してテキスト入力可能な状態とし、適宜テキスト入力してキーボードのエンターキーを操作して入力を確定することにより、新たな対象区分や編集された対象区分が設定される。すなわち、設定された内容に関する情報が、ネットワークを介してサーバ装置４００に送信され、適宜記憶手段４６０に記憶される。なお、新たな対象区分の追加や編集としては、別途専用の表示画面を設け、その表示画面で追加や編集を実行するようにしてもよい。また、サーバ装置４００での記憶処理としては、別途入力操作により情報を送信させて記憶させたり、設定入力を確定した際に自動的に情報を送信して記憶させたり、画面表示を閉じる処理の際に自動的に情報を送信して記憶させるなど、いずれの方法をも利用できる。
【００９０】
管理マスタ作成ウィンド５３０のチェックシートコマンドボタン５３２は、入力操作により、チェックリスト情報のチェックシートをリスト作成手段４５２で作成・編集するための画面表示を表示させる。この作成するチェックシートは、保守点検する対象区分毎に、例えばオーバーホールなどの保守点検の内容毎に品質管理チェックシートであるチェックリストに関するチェックリスト情報である。具体的には、図９に示すような画面表示で表示されるチェックシート設定ウィンド５５０が表示される。
【００９１】
このチェックシート設定ウィンド５５０には、管理区分を入力するリストボックス５５１と、リスト作成手段４５２で作成された対象区分毎における部位毎などのチェックシートを複数表示可能なリストボックス５５２と、新たにチェックシートを作成するためのコマンドボタン５５３と、リストボックス５５２に表示されたチェックシートのいずれかを編集するためのコマンドボタン５５４と、リストボックス５５２に表示されたチェックシートのいずれかを削除するためのコマンドボタン５５５と、チェックシート設定ウィンド５５０を閉じて管理マスタ作成ウィンド５３０を表示させるためのコマンドボタン５５６と、が設けられている。
【００９２】
そして、このチェックシート設定ウィンド５５０でコマンドボタン５５３が入力操作されると、リスト作成要求認識手段４５１がコマンドボタン５５３の入力操作による信号をリスト作成要求情報として取得する。このことにより、本体演算手段は、リストボックス５５１，５５２に設定された項目に関連付けられる品質管理チェックシートを作成するための表示画面、例えば図１０に示すような画面表示で表示されるチェックシート作成ウィンド５６０を表示させる。
【００９３】
このチェックシート作成ウィンド５６０は、例えばＣＳＶ（Ｃｏｍｍａ  Ｓｅｐａｒａｔｅｄ  Ｖａｌｕｅ）形式により品質管理チェックシートを作成する。すなわち、各セル５６１に、上述した保守点検する部位、保守点検の内容である損傷モード、保守点検の方法である検査方法、保守点検の判断基準など保守点検事項や、選択する検査結果などの確認事項などを入力したり、領域を確保したり、窓表示させるか否かなどの規則を入力したりするなどにより、品質管理チェックシートを作成し、例えばファイル名を付けて記憶させる動作により、リスト作成手段４５２が品質管理チェックシートを１つのレコードとして作成する。なお、この作成されたデータである品質管理チェックシートは、ネットワークを介してサーバ装置４００の記憶手段４６０のチェックリストデータベース４６２に適宜記憶される。
【００９４】
管理マスタ作成ウィンド５３０の検査記録コマンドボタン５３３は、入力操作により、チェックリストに関するチェックリスト情報におけるより詳細な保守点検の内容などを作成・編集するための画面表示を表示させる。具体的には、保守点検の際に品質管理チェックシートの一部として利用する保守点検の測定結果などを入力するための検査記録シートを作成するための画面表示、例えば図１１に示すような画面表示で表示させる検査記録設定ウィンド５７０が表示される。
【００９５】
この検査記録設定ウィンド５７０には、保守点検の内容を複数表示可能なリストボックス５７１と、このリストボックス５７１に表示される保守点検の内容の内訳内容を１つのファイルとして複数表示可能なリストボックス５７２と、リストボックス５７１に表示される保守点検の内容の内訳を新たに追加するためのコマンドボタン５７３と、リストボックス５７２に表示された内訳のいずれかを削除するためのコマンドボタン５７４と、リストボックス５７２に表示された内訳のいずれかを編集するためのコマンドボタン５７５と、検査記録設定ウィンド５７０を閉じて管理マスタ作成ウィンド５３０を表示させるためのコマンドボタン５７６と、が設けられている。
【００９６】
そして、この検査記録設定ウィンド５７０でコマンドボタン５７５が入力操作されると、リストボックス５７２で設定入力された内容に関するシート編集の画面表示、例えば図１２に示すような画面表示で表示されるシート編集ウィンド５８０が画面表示される。このシート編集ウィンド５８０には、保守点検内容の内訳のＣＳＶ形式による複数の項目をそれぞれ表示する複数のセル５８１Ａを表示する領域５８１が設けられている。なお、この領域５８１は、検査記録設定ウィンド５７０のコマンドボタン５７３の入力操作により、例えば図１０に示すチェックシート作成ウィンド５６０のようにＣＳＶ形式のフォームを利用して作成される。そして、領域５８１は、端末装置２００や本部端末装置３００で検査記録シートとして表示させるための範囲を設定可能となっている。具体的には、例えば本部端末装置３００の本部入力手段３２０のマウスをドラッグして範囲を指定することにより、品質管理チェックシートの範囲が設定される。なお、図１２は、設定した範囲を太線で囲んだ状態で表示したものを示す。
【００９７】
また、シート編集ウィンド５８０には、このシート編集ウィンド５８０を閉じて検査記録設定ウィンド５７０を表示させるコマンドボタン５８２と、領域５８１で設定した範囲において保守点検の際に測定した結果を入力するための範囲を設定させる表示画面を画面表示させるためのコマンドボタン５８３と、領域５８１で設定した範囲を解除、すなわちキャンセルするためのコマンドボタン５８４と、が設けられている。
【００９８】
そして、このシート編集ウィンド５８０でコマンドボタン５８３が入力操作されると、検査記録シートで測定結果などを入力するための範囲を設定するための画面表示、例えば図１３に示すような画面表示で表示される入力範囲設定ウィンド５９０が表示される。この入力範囲設定ウィンド５９０には、シート編集ウィンド５８０の領域５８１で設定された範囲のセル５８１Ａが表示される設定領域５９１が設けられている。この設定領域５９１は、表示されたいずれのセル５８１Ａを入力可能とするかの範囲が設定可能となっている。この範囲の設定は、例えば図１２に示す検査記録シートの表示範囲を設定する方法と同様の入力操作により設定される。なお、図１３は、設定した範囲を太線で囲んだ状態で表示したものを示す。
【００９９】
また、入力範囲設定ウィンド５９０には、この入力範囲設定ウィンド５９０を閉じてシート編集ウィンド５８０を表示させるコマンドボタン５９２と、入力範囲設定ウィンド５９０で設定した入力可能な範囲の表示範囲や位置を設定するためのコマンドボタン５９３と、入力可能な範囲の設定を解除、すなわちキャンセルするためのコマンドボタン５９４と、が設けられている。
【０１００】
そして、この入力範囲設定ウィンド５９０でコマンドボタン５９３が入力操作されると、表示の位置関係を設定するための画面表示、例えば図１４に示すような画面表示で表示される表示範囲設定ウィンド６００が表示させる。この表示範囲設定ウィンド６００には、表示させる範囲の名称を複数表示可能なリストボックス６０１と、このリストボックス６０１に表示させる表示範囲の名称を新たに追加するためのコマンドボタン６０２と、リストボックス６０１に表示された名称のいずれかを編集するためのコマンドボタン６０３と、リストボックス６０１に表示された名称のいずれかを削除するためのコマンドボタン６０４と、が設けられている。また、表示範囲設定ウィンド６００には、端末装置２００や本部端末装置３００などで表示させる検査記録シートとして表示させる位置を設定するための複数のチェックボックス６０５が設けられている。さらに、表示範囲設定ウィンド６００には、検査記録シートとして実際に表示させる範囲を設定するための複数のセル６０６Ａを表示する範囲設定領域６０６が設けられている。この範囲設定領域６０６は、チェックボックス６０５でチェックした対応する位置で範囲を設定入力する。なお、この設定は、例えば図１２および図１３に示す場合と同様の入力操作により設定される。
【０１０１】
また、表示範囲設定ウィンド６００には、この表示範囲設定ウィンド６００を閉じて入力範囲設定ウィンド５９０を表示させるコマンドボタン６０７と、この保守点検の内容の内訳に対応して合わせて表示させる図面などの画像データを関連付けする設定をするためのコマンドボタン６０８と、範囲設定領域での設定を解除、すなわちキャンセルするためのコマンドボタン６０９と、が設けられている。
【０１０２】
そして、この表示範囲設定ウィンド６００のコマンドボタン６０８が入力操作されると、検査記録シートとして測定する箇所を説明する図面を添付するための画面表示、例えば図１５に示すような画面表示で表示される画像ファイル設定ウィンド６１０が表示される。この画像ファイル設定ウィンド６１０には、画像ファイルを入力するテキストボックス６１１と、このテキストボックス６１１に入力させるリストを検索するためにファイルを参照させる処理を実行するためのコマンドボタン６１２と、この画像ファイル設定ウィンド６１０を閉じて表示範囲設定ウィンド６００を表示させるためのコマンドボタン６１３と、テキストボックス６１１に入力された画像ファイルを検査記録シートに関連付けて画面表示可能とするためのコマンドボタン６１４と、テキストボックス６１１に入力した画像ファイル名を削除、すなわちキャンセルするためのコマンドボタン６１５と、が設けられている。
【０１０３】
これら図１２ないし図１５に示す各表示画面での設定により、図１１の検査記録設定ウィンド５７０で設定した検査記録シートが作成される。この作成された検査記録シートに関するデータは、ネットワークを介して適宜サーバ装置４００の記憶手段４６０に記憶される。
【０１０４】
一方、管理マスタ作成ウィンド５３０のＩＴＥＭ番号コマンドボタン５３４は、入力操作により、例えば保守点検する被確認対象物の名称や被確認対象物毎に付された番号などを設定するための画面表示を表示させる。具体的には、図１６に示すような画面表示で表示させるＩＴＥＭ番号設定ウィンド６２０が表示される。
【０１０５】
このＩＴＥＭ番号設定ウィンド６２０には、例えば被確認対象物の名称を複数表示するリストボックス６２１と、このリストボックス６２１に表示させる被確認対象物の名称を新たに追加するためのコマンドボタン６２２と、リストボックス６２１に表示された名称のいずれかを編集、例えば名称変更などをするコマンドボタン６２３と、リストボックス６２１に表示された名称のいずれかを削除するためのコマンドボタン６２４と、ＩＴＥＭ番号設定ウィンド６２０を閉じて管理マスタ作成ウィンド５３０を表示させるためのコマンドボタン６２５と、が設けられている。
【０１０６】
そして、コマンドボタン６２２，６２３を入力操作し、例えばリストボックス６２１の空白の領域や表示された名称にカーソルを移動してテキスト入力可能な状態とし、適宜テキスト入力してキーボードのエンターキーを操作して入力を確定することにより、新たな名称や編集された名称が設定され、リストボックス６２１に反映される。なお、この名称の追加や変更としては、別途専用の表示画面を設け、その表示画面で追加や編集を実行するようにしてもよい。そして、このＩＴＥＭ番号設定ウィンド６２０で設定入力されたＩＴＥＭ番号は、ネットワークを介してサーバ装置４００の記憶手段４６０に適宜記憶される。
【０１０７】
管理マスタ作成ウィンド５３０の担当者コマンドボタン５３５は、入力操作により、保守点検を実施する担当者、保守点検を監督する指導者、保守点検の請負業者の監督者などの担当者を設定入力するための画面表示を表示させる。具体的には、図１７に示すような画面表示で表示される担当者設定ウィンド６３０が表示される。
【０１０８】
この担当者設定ウィンド６３０には、担当者の種別を特定するコード番号が表示されたセル６３１Ａ、および、コード番号に対応して例えばＣＳＶ形式で担当者名をテキスト入力するためのセル６３１Ｂを表示させる領域６３１と、領域６３１に表示させる担当者を新たに追加するためのコマンドボタン６３２と、領域６３１に表示された担当者を編集、例えば名前の変更などをするためのコマンドボタン６３３と、領域に表示された担当者のいずれかを削除するためのコマンドボタン６３４と、この担当者設定ウィンド６３０を閉じて管理マスタ作成ウィンド５３０を表示させるためのコマンドボタン６３５と、が設けられている。
【０１０９】
そして、この担当者設定ウィンド６３０のコマンドボタン６３２，６３３が入力操作されると、担当者を追加・編集するための画面表示、例えば図１８に示すような画面表示で表示される担当者編集ウィンド６４０が画面表示される。この担当者編集ウィンド６４０には、コード番号を入力するテキストボックス６４１と、担当者名を入力するテキストボックス６４２と、これらテキストボックス６４１，６４２の入力の設定を実行させるためのコマンドボタン６４３と、入力を削除、すなわちキャンセルするためのコマンドボタン６４４と、が設けられている。そして、テキストボックス６４１，６４２に適宜テキスト入力してコマンドボタン６４３を入力操作することにより、この担当者編集ウィンド６４０が閉じて入力した内容を領域６３１に反映した担当者設定ウィンド６３０が表示される。このようにして設定された担当者に関する情報は、ネットワークを介してサーバ装置４００の記憶手段４６０に適宜記憶される。
【０１１０】
管理マスタ作成ウィンド５３０の権限コマンドボタン５３６は、入力操作により、保守点検の際の権限者、すなわち保守点検の際の責任者を設定するための画面表示を表示させる。具体的には、図１９に示すような画面表示で表示される権限設定ウィンド６５０が表示される。
【０１１１】
この権限設定ウィンド６５０には、担当者設定ウィンド６３０などで設定された各担当者が複数表示可能なリストボックス６５１と、このリストボックス６５１に表示させる権限者を追加するための画面表示を表示させるコマンドボタン６５２と、リストボックス６５１に表示された権限者の権限の内容を編集するための画面表示を表示させるコマンドボタン６５３と、リストボックス６５１に表示された権限者のいずれかを削除するためのコマンドボタン６５４と、この権限設定ウィンド６５０を閉じて管理マスタ作成ウィンド５３０を表示させるためのコマンドボタン６５５と、が設けられている。
【０１１２】
そして、コマンドボタン６５２，６５３を入力操作し、図示しない専用の表示画面を開き、適宜権限を与える担当者を設定されたり、設定する権限の内容を設定させるなどして、権限者を設定し、リストボックス６５１に反映させる。なお、この権限者の設定は、別途専用の表示画面を用いないで設定するようにしてもよい。そして、設定された権限者に関する情報は、ネットワークを介してサーバ装置４００の記憶手段４６０に適宜記憶される。
【０１１３】
管理マスタ作成ウィンド５３０の端末コマンドボタン５３７は、入力操作により、情報をサーバ装置４００と送受信させる通知グループである端末装置２００や本部端末装置３００を設定するための画面表示を表示させる。具体的には、例えば図２０に示すような画面表示で表示される端末設定ウィンド６６０が表示される。
【０１１４】
この端末設定ウィンド６６０には、端末装置２００や本部端末装置３００を特定する名称やコード番号などが表示されるセル６６１Ａ、端末装置２００や本部端末装置３００の種類が表示されるセル６６１Ｂ、および、情報の送受信として例えば電子メールを利用しその電子メールのためのメールアドレスが表示されるセル６６１Ｃなどを表示させる領域６６１と、領域６６１に表示させる通信する相手を追加するためのコマンドボタン６６２と、領域６６１に表示された通信する相手の内容を編集するためのコマンドボタン６６３と、領域６６１に表示された通信する相手を削除するためのコマンドボタン６６４と、が設けられている。
【０１１５】
そして、この端末設定ウィンド６６０のコマンドボタン６６２，６６３が入力操作されると、通信する相手を追加あるいは編集するための画面表示、例えば図２１に示すような画面表示で表示される端末編集ウィンド６７０が表示される。この端末編集ウィンド６７０には、通信する相手を特定する名称やコード番号などを入力するテキストボックス６７１と、通信相手の種類を入力するテキストボックス６７２と、通信相手のメールアドレスを入力するテキストボックス６７３と、これらテキストボックス６７１〜６７３の入力の設定を実行させるためのコマンドボタン６７４と、入力を削除、すなわちキャンセルするためのコマンドボタン６７５と、が設けられている。そして、テキストボックス６７１〜６７３に適宜テキスト入力してコマンドボタン６７４を入力操作することにより、この端末編集ウィンド６７０が閉じて入力した内容を領域６６１に反映した端末設定ウィンド６６０が表示される。なお、この設定した通知グループに関する情報は、ネットワークを介してサーバ装置４００の記憶手段４６０に適宜記憶される。
【０１１６】
管理マスタ作成ウィンド５３０の安全管理コマンドボタン５３８は、入力操作により、保守点検する上で注意すべき項目、例えば火災・爆発、酸欠、有害物質等の中毒、墜落・転落、重機、感電、残油回収の必須などの注意項目を設定入力するための画面表示を表示させる。具体的には、図２２に示すような画面表示で表示される安全管理項目設定ウィンド６８０が表示される。
【０１１７】
この安全管理項目設定ウィンド６８０には、注意項目が例えばＣＳＶ形式で複数表示されるリストボックス６８１と、このリストボックス６８１に表示させる注意項目を追加するためのコマンドボタン６８２と、リストボックス６８１に表示された注意項目のいずれかを編集、例えば名称の変更などをするコマンドボタン６８３と、リストボックス６８１に表示された注意項目のいずれかを削除するコマンドボタン６８４と、この安全管理項目設定ウィンド６８０を閉じて管理マスタ作成ウィンド５３０を表示させるためのコマンドボタン６８５と、が設けられている。
【０１１８】
そして、コマンドボタン６８４，６８５を入力操作し、例えばリストボックス６８１の空白の領域や表示された注意項目にカーソルを移動してテキスト入力可能な状態とする。そして、適宜テキスト入力してキーボードのエンターキーを操作して入力を確定することにより、新たな注意項目や編集された注意項目が設定される。なお、注意項目の追加や編集としては、別途専用の表示画面を設け、その表示画面で追加や編集を実行するようにしてもよい。
【０１１９】
上述した管理マスタ作成ウィンド５３０における各項目の設定入力により、チェックリストである品質管理チェックシートが作成される。そして、上述したように、本部端末装置３００において上記各項目の設定入力がなされると、設定入力された各項目に関する情報は本部演算手段の図示しない記憶手段に記憶されるとともに、本部通信手段からネットワークを介してサーバ装置４００の通信手段４４０で取得され、サーバ装置４００の記憶手段４６０に適宜記憶される。
【０１２０】
（種別事項情報の設定入力）
次に、工事品質管理支援システム１００の準備の際の種別事項情報を設定入力する動作について、図面を参照してより詳細に説明する。なお、ここでは、上述した品質管理チェックシートの作成と同様に、本部端末装置３００から設定入力する場合について説明するが、サーバ装置４００で直接設定入力してもよい。
【０１２１】
図２３は、工事登録ウィンドの画面表示を示す説明図である。図２４は、チェックシート編集ウィンドの画面表示を示す説明図である。図２５は、行設定ウィンドの画面表示を示す説明図である。図２６は、１つの列設定ウィンドの画面表示を示す説明図である。図２７は、他の列設定ウィンドの画面表示を示す説明図である。図２８は、さらに他の列設定ウィンドの画面表示を示す説明図である。図２９は、文書設定ウィンドの画面表示を示す説明図である。なお、図２３ないし図２９に示す画面表示は、例えばウエッブブラウザによる画面表示やその他の画面表示ソフトウェアなど、適宜利用される。
【０１２２】
まず、本部端末装置３００で本部入力手段３２０の入力操作により、工事品質管理支援システム１００のアプリケーションソフトウェアを起動し、図５に示すメインメニューウィンド５１０を表示させる。そして、種別事項情報の設定入力のために工事管理コマンドボタン５１２を入力操作、すなわち選択してクリックする動作をする。この工事管理コマンドボタン５１２の入力操作により、図６に示すような画面表示で表示されるパスワード入力ウィンド５２０が表示される。そして、上述したチェックリストの作成の場合と同様に、テキストボックス５２１に所定のパスワードを入力してコマンドボタン５２２を入力操作する。このパスワードの設定入力により、パスワードがあらかじめ設定されているパスワードと一致すると、図２３に示すような画面表示で表示される工事登録ウィンド７００が表示される。
【０１２３】
この図２３に示す工事登録ウィンド７００には、管理区分を設定入力するリストボックス７０１と、チェックシートの種別を設定入力するリストボックス７０２と、ＩＴＥＭ番号を設定入力するリストボックス７０３と、保守点検である指示された工事の名称を設定入力するリストボックス７０４Ａと、工事番号を設定入力するリストボックス７０４Ｂと、担当者を設定入力する領域７０５と、情報の送受信を実施する相手を設定すなわち通知グループを設定入力する領域７０６と、が設けられている。
【０１２４】
そして、リストボックス７０１は、管理区分ウィンド５４０で設定入力された項目をリストアップする。また、リストボックス７０２は、リストボックス７０１に設定入力された対象区分におけるチェックシート設定ウィンド５５０で設定入力されたチェックシートをリストアップする。さらに、リストボックス７０３は、ＩＴＥＭ番号設定ウィンド６２０で設定入力された被確認対象物の名称であるＩＴＥＭ番号をリストアップする。また、リストボックス７０４Ａ，７０４Ｂは、テキスト入力可能で既に入力された工事名称や工事番号をそれぞれリストアップする。これらリストボックス７０４Ａ，７０４Ｂの入力としては、例えばこれらリストボックス７０４Ａ，７０４Ｂの空白の領域や表示された名称にカーソルを移動してテキスト入力可能な状態とし、適宜テキスト入力してキーボードのエンターキーを操作して入力を確定させる。また、領域７０５は、担当者設定ウィンド６３０で設定入力された担当者をリストアップする複数のセル７０５Ａと、各担当者毎に関連付けられ権限設定ウィンド６５０で設定入力された権限を選択可能にリストアップするリストボックス７０５Ｂと、が表示する。さらに、領域７０６は、端末設定ウィンド６６０で設定入力された通知グループである通信先相手を選択可能に表示する。
【０１２５】
また、工事登録ウィンド７００には、この工事登録ウィンド７００を閉じてメインメニューウィンド５１０を表示させるためのコマンドボタン７０７と、工事に対応したチェックリストを作成するためのコマンドボタン７０８と、各リストボックスや領域に入力した内容を削除、すなわちキャンセルするためのコマンドボタン７０９と、が設けられている。
【０１２６】
そして、各リストボックス７０１〜７０３で各項目を選択あるいは入力した後にコマンドボタン７０８を入力操作すると、上述した管理マスタ作成ウィンド５３０で作成したリストボックス７０１〜７０３で特定される品質管理チェックシートを編集するための画面表示、例えば図２４に示すような画面表示で表示させるチェックシート編集ウィンド７１０が表示される。このチェックシート編集ウィンド７１０には、図１０に示すチェックシート作成ウィンド５６０で作成されたＣＳＶ形式の品質管理チェックシートを表示する領域７１１が設けられている。この領域７１１は、品質管理チェックシートの各行毎である保守点検する項目毎に行番号のセル７１１Ａを関連付けるとともに、各列毎である確認事項情報の項目別毎に設定された項目名称であるフィールド名が表示されるセル７１１Ｂを関連付けて表示し、各行番号のセル７１１Ａおよびフィールド名のセル７１１Ｂを選択可能となっている。
【０１２７】
このチェックシート編集ウィンド７１０の領域７１１でセル７１１Ａが選択されて実行、すなわち選択してクリックする操作により、その行における保守点検の項目について編集するための画面表示、例えば図２５に示すような画面表示で表示される行設定ウィンド７２０が表示される。この行設定ウィンド７２０には、図１０に示すチェックシート作成ウィンド５６０で作成した品質管理チェックシートで設定された帳票のフォームを特定する名称をチェックボックス７２１Ａと関連付けてリストアップする領域７２１と、図１１に示す検査記録設定ウィンド５７０で作成した検査記録シートの名称を選択可能に複数表示可能なリストボックス７２２と、が設けられている。また、帳票設定ウィンド７２０には、領域７２１における選択およびリストボックス７２２における選択を設定入力するためのコマンドボタン７２３と、選択を解除、すなわちキャンセルするためのコマンドボタン７２４と、が設けられている。そして、コマンドボタン７２４の入力操作により、品質管理チェックシートの行毎である所定の工事における保守点検の項目毎の設定が確定される。
【０１２８】
また、チェックシート編集ウィンド７１０の領域７１１でセル７１１Ｂが選択されて実行、すなわち選択してクリックする操作により、その列における保守点検の項目別に編集するための画面表示が表示される。具体的には、例えばフィールド名が、「部位」、「検査・確認項目」、「判定基準」、「処置」など、選択やチェックを要求しないものについては、例えば図２６に示すような画面表示で表示される列設定ウィンド７３０Ａが表示される。また、フィールド名が「検査方法」、「検査結果」など、選択を要求するものについては、例えば図２７に示すような画面表示で表示される列設定ウィンド７３０Ｂが表示される。さらに、フィールド名が「○○」、「指導員」、「施工者」など、チェックを要求するものについては、例えば図２８に示すような画面表示で表示される列設定ウィンド７３０Ｃが表示される。
【０１２９】
そして、図２６に示す列設定ウィンド７３０Ａには、選択されたセル７１１Ｂのフィールド名が表示されるテキストボックス７３０Ａ１と、表示させる大きさである表示幅を設定入力するための数値を選択可能に複数表示するリストボックス７３０Ａ２と、が設けられている。
【０１３０】
また、列設定ウィンド７３０Ａには、図１９に示す権限設定ウィンド６５０で設定された権限者をリストアップする領域７３０Ａ３が設けられている。この領域７３０Ａ３には、リストアップされた権限者毎にチェックボックス７３０Ａ４が関連付けてそれぞれ設けられ、権限者を選択可能となっている。さらに、列設定ウィンド７３０Ａには、設定入力の制限、例えば通常の端末装置２００や本部端末装置３００などにおける設定入力を可能とするか、管理マスタ作成ウィンド５３０でのみ設定入力を可能とするかを選択するためのチェックボックス７３０Ａ５が設けられている。
【０１３１】
そして、列設定ウィンド７３０Ａには、リストボックス７３０Ａ２およびチェックボックス７３０Ａ４，７３０Ａ５に入力した内容を設定するコマンドボタン７３０Ａ６と、入力した内容を解除、すなわちキャンセルするためのコマンドボタン７３０Ａ７と、が設けられている。
【０１３２】
また、図２７に示す列設定ウィンド７３０Ｂには、列設定ウィンド７３０Ａと同様のテキストボックス７３０Ｂ１と、リストボックス７３０Ｂ２と、チェックボックス７３０Ｂ４を有した領域７３０Ｂ３と、コマンドボタン７３０Ｂ６，７３０Ｂ７が設けられている。
【０１３３】
さらに、列設定ウィンド７３０Ｂには、チェック欄として端末装置２００や本部端末装置３００などにおける設定入力の制限を設定するためのチェックボックス７３０Ｂ５が設けられている。このチェックボックス７３０Ｂ５は、例えばチェック欄として各端末装置２００や本部端末装置３００などにおける設定入力を可能とするか、管理マスタ作成ウィンド５３０からのみ設定入力を可能とするかの選択を促すように設けられている。
【０１３４】
また、列設定ウィンド７３０Ｂには、フィールド名における保守点検の結果として選択する項目を追加、編集、削除するためのテキスト入力が可能なテキストボックス７３０Ｂ８が設けられている。このテキストボックス７３０Ｂ８には、例えば図１０に示すチェックシート作成ウィンド５６０で設定入力した項目を選択可能でかつテキスト入力可能に表示する。
【０１３５】
さらに、列設定ウィンド７３０Ｂには、テキストボックス７３０Ｂ８に表示された項目にさらにテキスト入力にて追加した項目を設定するためのコマンドボタン７３０Ｂ８Ａと、テキストボックス７３０Ｂ８に表示された項目を選択して適すと入力にて編集した内容を設定するためのコマンドボタン７３０Ｂ８Ｂと、テキストボックス７３０Ｂ８に表示された項目を選択して削除を実行させるためのコマンドボタン７３０Ｂ８Ｃと、が設けられている。
【０１３６】
また、図２８に示す列設定ウィンド７３０Ｃには、列設定ウィンド７３０Ａと同様のテキストボックス７３０Ｃ１と、リストボックス７３０Ｃ２と、チェックボックス７３０Ｃ４を有した領域７３０Ｃ３と、コマンドボタン７３０Ｂ６，７３０Ｂ７が設けられている。
【０１３７】
さらに、列設定ウィンド７３０Ｃには、チェック欄として端末装置２００や本部端末装置３００などにてチェックを可能とするか、管理マスタ作成ウィンド５３０からのみチェックを可能とするかの設定入力の制限を選択するためのチェックボックス７３０Ｃ５と、保守点検の結果の設定入力としてのチェック入力が未チェックの場合の表示形態を設定入力するテキスト入力可能なテキストボックス７３０Ｃ８と、チェック入力した場合の表示形態を設定入力するテキスト入力可能なテキストボックス７３０Ｃ９と、が設けられている。
【０１３８】
そして、各列設定ウィンド７３０Ａ〜７３０Ｃにおいてコマンドボタン７３０Ａ５〜７３０Ｃ５が入力操作されると、チェックシートの列毎である所定の工事における保守点検の項目別毎の設定が確定される。
【０１３９】
また、図２４に示すチェックシート編集ウィンド７１０には、このチェックシート編集ウィンド７１０を閉じて工事登録ウィンド７００を表示させるコマンドボタン７１２と、技術標準や仕様書・要領書、図面などを設定するための画面表示を表示するためのコマンドボタン７１３と、領域７１１において行番号のセル７１１Ａの選択を解除、すなわちキャンセルするためのコマンドボタン７１４と、が設けられている。
【０１４０】
そして、チェックシート編集ウィンド７１０における行毎や列毎の設定が終了、すなわち行設定ウィンド７２０や列設定ウィンド７３０Ａ〜７３０Ｃにおける設定を終了し、コマンドボタン７１３が入力操作されると、例えば技術標準や仕様書・要領書、図面などを設定するための画面表示が表示される。具体的には、例えば図２９に示すような画面表示の文書設定ウィンド７４０が表示される。
【０１４１】
この図２９に示す文書設定ウィンド７４０には、技術標準のフォームに関するデータが記載されたファイル名を入力するテキストボックス７４１と、仕様書・要領書のフォームに関するデータが記載されたファイル名を入力するテキストボックス７４２と、参考図面などの図面に関するデータが記載されたファイル名を入力するテキストボックス７４３と、各テキストボックス７４１〜７４３を検索するために各テキストボックス７４１〜７４３に関連付けられた複数の参照コマンドボタン７４４と、が設けられている。さらに、文書設定ウィンド７４０には、この文書設定ウィンド７４０を閉じてチェックシート編集ウィンド７１０を画面表示させるためのコマンドボタン７４５と、工事管理における設定を完了してメインメニューウィンド５１０を画面表示させるためのコマンドボタン７４６と、各テキストボックス７４１〜７４３への入力を削除、すなわちキャンセルするためのコマンドボタン７４７と、が設けられている。
【０１４２】
そして、各テキストボックス７４１〜７４３が入力され、コマンドボタン７４６が入力操作されると、所定の技術標準のデータ、仕様書・要領書のデータ、および、図面のデータが所定の工事の品質管理チェックシートに関連付けられて設定される。
【０１４３】
このようにして、工事品質管理支援システム１００の運用のためのチェックリストの作成のための種別事項情報の設定が完了し、指示された工事に対応するチェックリストが作成され、準備動作が終了する。
【０１４４】
（工事品質管理支援システムを利用した保守点検動作）
次に、工事品質管理支援システム１００を利用した保守点検動作について図面を参照して説明する。図３０は、工事品質管理支援システムを利用した保守点検動作を示すフローチャートである。図３１は、工事品質管理支援システムを利用した保守点検動作における変更を示すフローチャートである。図３２は、工事品質管理支援システムを利用した保守点検動作を示すフローチャートである。
【０１４５】
まず、保守点検を実施するに際して、あらかじめ図４のフローチャートに示すようにチェックリストをダウンロードした端末装置２００および本部端末装置３００で、工事品質管理支援システム１００のアプリケーションソフトウェアを起動する。そして、アプリケーションソフトウェアを適宜処理させ、上述した準備動作で作成した品質管理チェックシートに基づいて、保守点検を実施する。この保守点検の際、品質管理チェックシートの確認事項情報である各項目に従って、保守点検した結果の内容を選択またはチェックしたり、適宜測定した測定値を入力したり、保守点検で施した内容の入力などをする。
【０１４６】
そして、これら品質管理チェックシートに基づいて入力した保守点検の結果に関する各入力データを、図３０に示すように、サーバ装置４００に送信して記憶、いわゆるアップデートするとともに、保守点検の結果をアップデートした旨の情報を送信して通知する（ステップＳ１１）。この通知を取得したサーバ装置４００は、上述した準備動作であらかじめ通知グループとして設定した通信相手に、保守点検の結果が更新された旨の情報を通知する（ステップＳ１２）。この通知としては、例えば通知グループの端末装置２００や本部端末装置３００に電子メールとして送信したり、通知グループの担当者が保有する携帯電話やＰＨＳ（Ｐｅｒｓｏｎａｌ  Ｈａｎｄｙｐｈｏｎｅ  Ｓｙｓｔｅｍ）などに電子メールとして送信したり、サーバ装置４００の管理者が直接携帯電話やＰＨＳ、無線機などで通話にて通知したり、打合せの際にて通知するなどが例示できる。
【０１４７】
この保守点検の結果が更新された旨の通知を受けた担当者は、端末装置２００や本部端末装置３００でその内容を適宜更新し（ステップＳ１３）、保守点検の作業に利用する品質管理チェックシートに反映させたり、保守点検の作業で参考情報として利用したりする。
【０１４８】
また、保守点検の実施中に、工事仕様すなわち保守点検の内容を変更する必要があると判断した場合、あるいは、保守点検の際に相談や作業指示が必要であると判断した場合などでは、図３１に示すように、サーバ装置４００へ仕様変更の問い合わせ、相談内容、作業指示の問い合わせなどの内容の通知を送信する（ステップＳ２１）。この通知を取得したサーバ装置４００は、図３０に示す処理と同様に、あらかじめ設定された通知グループにその内容を通知する（ステップＳ２２）。
【０１４９】
そして、通知を受けた担当者が適宜仕様変更を設定入力した場合、あるいは担当者の権限で仕様変更を設定入力した場合などには、その変更内容をサーバ装置４００にいわゆるアップデートするとともに、仕様変更した旨の通知をする（ステップＳ２５）。この通知を取得したサーバ装置４００は、同様にあらかじめ設定された通知グループにその内容を通知する（ステップＳ２６）。そして、この通知を受けた担当者は、端末装置２００や本部端末装置３００でその内容を適宜更新し（ステップＳ２７）、保守点検の作業に反映させる。なお、仕様変更の設定登録をせず、単に問い合わせに対するコメントを返信する場合も同様に、サーバ装置４００を介して通知させる。
【０１５０】
このようにして、当日の保守点検の作業が終了した際には、図３２に示すように、保守点検により品質管理チェックシートに基づいて設定入力した保守点検の結果に関する各入力データをサーバ装置４００にいわゆるアップデートするとともに（ステップＳ３１）、翌日の保守点検の作業予定を設定入力して合わせてアップデートする（ステップＳ３２）。また、作業の終了後に打合せなどにて工事内容を確認したり、報告書などとして印刷するなど、入力した各確認情報を利用する場合には、例えば本部端末装置３００にてサーバ装置４００にアップデートされて記憶した確認情報を適宜読み出して処理する（ステップＳ３５）。
【０１５１】
以下に、保守点検動作をより詳細に図面を参照して説明する。ここで、端末装置２００として例えばＰＤＡなどの比較的に処理能力が高くなくデータの容量も比較的に大きくないものを用い、本部端末装置３００として例えばノートパソコンなどの比較的に処理能力が高くデータの容量も比較的に大きいものを用いる構成で説明する。
【０１５２】
図３３は、端末装置における第１のログインウィンドの画面表示を示す説明図である。図３４は、本部端末装置における第１のログインウィンドの画面表示を示す説明図である。図３５は、端末装置における第２のログインウィンドの画面表示を示す説明図である。図３６は、本部端末装置における第２のログインウィンドの画面表示を示す説明図である。図３７は、端末装置における操作メニューウィンドの画面表示を示す説明図である。図３８は、本部端末装置における操作メニューウィンドの画面表示を示す説明図である。図３９ないし図４２は、端末装置における検査チェックウィンドの画面表示を示す説明図である。図４３は、本部端末装置における検査チェックウィンドの画面表示を示す説明図である。図４４および図４５は、端末装置における検査記録ウィンドの画面表示を示す説明図である。図４６は、本部端末装置における検査記録ウィンドの画面表示を示す説明図である。図４７は、端末装置における情報変更ウィンドの画面表示を示す説明図である。図４８は、本部端末装置における情報変更ウィンドの画面表示を示す説明図である。図４９は、端末装置における通知ウィンドの画面表示を示す説明図である。図５０は、端末装置における翌日予定ウィンドの画面表示を示す説明図である。図５１は、本部端末装置における翌日予定ウィンドの画面表示を示す説明図である。図５２は、本部端末装置における履歴表示ウィンドの画面表示を示す説明図である。図５３は、本部端末装置における印刷ウィンドの画面表示を示す説明図である。なお、図３３ないし図５３に示す画面表示は、例えばウエッブブラウザによる画面表示やその他の画面表示ソフトウェアなど、適宜利用される。
【０１５３】
（保守点検作業の実施）
保守点検に際して、例えば端末装置２００でアプリケーションソフトウェアを起動する。この起動により、端末装置２００の端末表示手段２１０には、図３３に示すような画面表示で表示される第１のログインウィンド８１０Ａが表示される。また、保守点検で本部端末装置３００を用いる場合には、アプリケーションソフトウェアの起動により、本部表示手段３１０に図５に示すメインメニューウィンド５１０が表示される。このメインメニューウィンド５１０のコマンドボタン５１３を入力操作し、図３４に示すような画面表示で表示される第１のログウィンウィンド８１０Ｂを表示させる。
【０１５４】
これら図３３および図３４に示す第１のログインウィンド８１０Ａ，８１０Ｂには、保守点検を実施する本人の担当者コードをテキト入力可能なテキストボックス８１０Ａ１，８１０Ｂ１と、その担当者が保守点検を実施する管理区分を入力するリストボックス８１０Ａ２，８１０Ｂ２と、担当者が保守点検を実施する被確認対象物の名称や被確認対象物毎に付された番号などＩＴＥＭ番号を入力するテキストボックス８１０Ａ３，８１０Ｂ３と、がそれぞれ設けられている。なお、リストボックス８１０Ａ３，８１０Ｂ３には、上述した準備動作であらかじめ設定入力された各項目がそれぞれリストアップされ、リストアップされた項目を選択することで入力される。また、第１のログインウィンド８１０Ａ，８１０Ｂには、アプリケーションソフトウェアを終了するためのコマンドボタン８１０Ａ４，８１０Ｂ４と、工事の内容を特定するための画面表示を表示させるコマンドボタン８１０Ａ５，８１０Ｂ５と、が設けられている。さらに、第１のログインウィンド８１０Ａ６には、テキスト入力するための入力表示部８１０Ａ６が設けられている。
【０１５５】
そして、テキストボックス８１０Ａ１，８１０Ａ３，８１０Ｂ１，８１０Ｂ３およびリストボックス８１０Ａ２，８１０Ｂ２に入力してコマンドボタン８１０Ａ５，８１０Ｂ５を入力操作することにより、端末装置２００では図３５に示すような画面表示、本部端末装置３００では図３６で示すような画面表示で表示される第２のログインウィンド８２０Ａ，８２０Ｂが表示される。
【０１５６】
これら図３５および図３６に示す第２のログインウィンド８２０Ａ，８２０Ｂには、保守点検の内容である工事名称を入力するリストボックス８２０Ａ１，８２０Ｂ１と、あらかじめ設定された工事番号をテキスト入力可能なテキストボックス８２０Ａ２，８２０Ｂ２と、がそれぞれ設けられている。リストボックス８２０Ａ１，８２０Ｂ１には、上述した準備動作であらかじめ設定入力された各項目がリストアップされ、リストアップされた項目を選択することで入力される。なお、工事番号は、あらかじめ担当者に電子メールや電話による連絡あるいは打合せ時に連絡するなどして伝達しておく。
【０１５７】
また、第２のログインウィンド８２０Ａ，８２０Ｂには、アプリケーションソフトウェアを終了するためのコマンドボタン８２０Ａ４，８２０Ｂ４と、工事品質管理支援システム１００を利用するための画面表示を表示させるコマンドボタン８２０Ａ５，８２０Ｂ５と、が設けられている。さらに、端末装置２００では、テキスト入力するための入力表示部８２０Ａ６も設けられている。
【０１５８】
そして、リストボックス８２０Ａ１，８２０Ｂ１およびテキストボックス８２０Ａ２，８２０Ｂ２に入力してコマンドボタン８２０Ａ５，８２０Ｂ５を入力操作することにより、端末装置２００では図３７に示すような画面表示、本部端末装置３００では図３８に示すような画面表示で表示される操作メニューウィンド８３０Ａ，８３０Ｂが表示される。
【０１５９】
これら図３７および図３８に示す操作メニューウィンド８３０Ａ，８３０Ｂには、例えば、技術標準のデータを表示させるためのコマンドボタン８３０Ａ１，８３０Ｂ１と、仕様書・要領書のデータを表示させるためのコマンドボタン８３０Ａ２，８３０Ｂ２と、図面のデータを表示させるためのコマンドボタン８３０Ａ３，８３０Ｂ３と、品質管理チェックシートを表示させるためのコマンドボタン８３０Ａ４，８３０Ｂ４と、翌日の予定を設定するためのコマンドボタン８３０Ａ５，８３０Ｂ５と、が設けられている。また、図３８に示す本部端末装置３００で表示される操作メニューウィンド８３０Ｂには、蓄積された情報すなわち履歴情報を表示させるためのコマンドボタン８３０Ｂ６と、蓄積した情報を例えば報告書や資料などとして印刷するためのコマンドボタンと８３０Ｂ７と、が設けられている。さらに、操作メニューウィンド８３０Ａ，８３０Ｂには、アプリケーションソフトウェアを終了するためのコマンドボタン８３０Ａ８，８３０Ｂ８が設けられている。なお、図３７に示す端末装置２００で表示される操作メニューウィンド８３０Ａには、テキスト入力するための入力表示部８３０Ａ９が設けられている。
【０１６０】
そして、保守点検の実施に際しては、コマンドボタン８３０Ａ４，８３０Ｂ４を入力操作し、上述した準備動作で作成した確認事項情報を複数有し確認事項の設定入力を促すチェックリストである品質管理チェックシートを表示させる。具体的には、端末装置２００では図３９ないし図４２に示すような画面表示、本部端末装置３００では図４３に示すような画面表示で表示される検査チェックウィンド８４０Ａ，８４０Ｂが表示される。
【０１６１】
これら図３４ないし図４２に示す検査チェックウィンド８４０Ａおよび図４３に示す検査チェックウィンド８４０Ｂには、表示されているチェックリスト情報を特定する情報、すなわち、保守点検する被確認対象物の種別に関する種別事項情報が表示される、例えば例えば被確認対象物の名称や被確認対象物毎に付された番号などを表示するテキストボックスであるＩＴＥＭ番号セル８４０Ａ１，８４０Ｂ１と、実施する保守点検を特定する名称や番号などを表示するテキストボックスである工事番号セル８４０Ａ２，８４０Ｂ２と、がそれぞれ設けられている。なお、表示する種別事項情報として、これらに限られない。
【０１６２】
また、検査チェックウィンド８４０Ａ，８４０Ｂには、上述した準備動作であらかじめ作成された品質管理チェックシートが表示される領域８４０Ａ３，８４０Ｂ３が設けられている。なお、図３９ないし図４２は、領域８４０Ａ３に表示する品質管理チェックシートにおける保守点検の項目である「部位」および「検査・確認項目」のセルに対応して、他のセルをそれぞれスクロールして表示した状態を示す。
【０１６３】
そして、保守点検を実施する担当者は、領域８４０Ａ３，８４０Ｂ３に表示される品質管理チェックシートに基づいて保守点検を実施し、確認情報である保守点検の内容や確認などの結果を適宜入力する。具体的には、上述した準備動作において、図２５ないし図２７に示す列設定ウィンド７３０Ａ〜７３０Ｃで設定されて端末装置２００や本部端末装置３００で入力可能に設定された、「検査結果」、「担当者」、「処置」などのフィールド名のチェックや選択、テキスト入力などにより、保守点検の結果を適宜入力する。
【０１６４】
また、検査チェックウィンド８４０Ａ，８４０Ｂには、保守点検の際に例えば測定した測定値を図面などの各種情報を参照して入力を補助する画面表示、すなわち検査記録シートを表示させるコマンドボタン８４０Ａ４，８４０Ｂ４と、確認事項の内容である保守点検のための品質管理チェックシートの内容を変更するためのコマンドボタン８４０Ａ５，８４０Ｂ５と、他の端末装置２００や本部端末装置３００あるいはサーバ装置４００に保守点検の結果などの各種情報を通知するためのコマンドボタン８４０Ａ６，８４０Ｂ６と、品質管理チェックシートをサーバ装置４００に記憶された最新のものに更新するためのコマンドボタン８４０Ａ７，８４０Ｂ７と、品質管理チェックシートに入力した保守点検の結果をサーバ装置４００に登録するためのコマンドボタン８４０Ａ８，８４０Ｂ８と、この検査チェックウィンド８４０Ａ，８４０Ｂを閉じて端末メインメニューウィンド８３０Ａ，８３０Ｂを表示させるためのコマンドボタン８４０Ａ９，８４０Ｂ９と、が設けられている。なお、端末装置２００の検査チェックウィンドには、テキスト入力するための入力表示部８４１が設けられている。
【０１６５】
そして、コマンドボタン８４０Ａ３，８４０Ｂ３が入力操作されると、例えば端末装置２００では図４４および図４５に示すような画面表示、本部端末装置３００では図４６に示すような画面表示で表示される検査記録ウィンド８５０Ａ，８５０Ｂが表示される。これら検査記録ウィンド８５０Ａ，８５０Ｂには、図２８に示す文書設定ウィンド７４０で設定入力された各データが関連付けられた検査記録シートを表示する。
【０１６６】
この図４４および図４５に示す検査記録ウィンド８５０Ａおよび図４６に示す検査記録ウィンド８５０Ｂには、図面などのデータを表示する領域８５０Ａ１，８５０Ｂ１と、技術標準や仕様書などのデータを測定結果を入力可能に表示する領域８５０Ａ２，８５０Ｂ２と、が設けられている。そして、端末装置２００に表示される検査記録ウィンド８５０Ａには、保守点検の際の対象すなわち測定結果を入力するための範囲を切り替えるコマンドボタン８５０Ａ３と、保守点検の際の測定結果を入力するためのテンキー部８５０Ａ４と、が設けられている。このコマンドボタン８５０Ａ３が入力操作されると、例えば図４５に示すような画面表示で表示されるように、切り替える範囲をリスト状に表示する領域８５０Ａ５をポップアップする。そして、いずれかの範囲を選択することにより、入力の範囲が切り替えられて表示される。一方、本部端末装置３００に表示される検査記録ウィンド８５０Ｂには、保守点検の際の対象すなわち測定結果を入力するための範囲を選択可能に複数表示する領域８５０Ａ５に対応したリストボックス８５０Ｂ５が設けられている。
【０１６７】
また、検査記録ウィンド８５０Ａ，８５０Ｂには、領域８５０Ａ１，８５０Ａ２，８５０Ｂ１，８５０Ｂ２に表示させるデータを最新のものに更新するためのコマンドボタン８５０Ａ６，８５０Ｂ６と、保守点検の内容すなわち表示されるデータの内容の少なくとも一部を変更するためのコマンドボタン８５０Ａ７，８５０Ａ７と、入力した保守点検の結果を登録すなわちサーバ装置４００の記憶手段４６０に記憶させるためのコマンドボタン８５０Ａ８，８５０Ｂ８と、この検査記録ウィンド８５０Ａ，８５０Ｂを閉じて検査チェックウィンド８４０Ａ，８４０Ｂを表示させるためのコマンドボタン８５０Ａ９，８５０Ｂ９と、が設けられている。なお、端末装置２００の検査記録ウィンド８５０Ａには、テキスト入力するための入力表示部８５１が設けられている。
【０１６８】
そして、適宜測定結果が入力されてコマンドボタン８５０Ａ８，８５０Ｂ８が入力操作されると、ネットワークを介してサーバ装置４００に確認情報である入力したデータが出力される。この確認情報を、サーバ装置４００の確認情報取得手段４５３で取得し、サーバ装置４００の記憶手段４６０の確認情報データベース４６３に記憶されて登録される。さらに、コマンドボタン８５０Ａ８，８５０Ｂ８の入力操作により、サーバ装置４００へ確認情報を登録した旨を通知するためのメッセージ情報を送信する。なお、このメッセージ情報を取得したサーバ装置４００は、そのメッセージ情報と同様のメッセージ情報を、あらかじめ設定された通信相手である他の端末装置２００や本部端末装置３００に電子メールにて配信したり、通信相手の携帯電話などに電子メールを配信あるいは音声連絡するなどをする。この他の端末装置２００や本部端末装置３００への通知は、サーバ装置４００へメッセージ情報を送信する際に端末装置２００あるいは本部端末装置３００から直接他の端末装置２００や本部端末装置３００へ配信するようにしてもよい。
【０１６９】
また、検査チェックウィンド８４０Ａ，８４０Ｂのコマンドボタン８４０Ａ５，８４０Ｂ５、および、検査記録ウィンド８５０Ａ，８５０Ｂのコマンドボタン８５０Ａ７，８５０Ｂ７が入力操作されると、保守点検の内容を変更するための表示画面が表示される。すなわち、端末装置２００では例えば図４７に示すような画面表示、本部端末装置３００では例えば図４８に示すような画面表示で表示される情報変更ウィンド８６０Ａ，８６０Ｂが表示される。この情報変更ウィンド８６０Ａ，８６０Ｂは、検査チェックウィンド８４０Ａ，８４０Ｂの品質管理チェックシートの項目や検査記録ウィンド８５０Ａ，８５０Ｂの各データを変更するための画面表示である。なお、図４７および図４８は、コマンドボタン８４０Ａ５，８４０Ｂ４，８５０Ａ７，８５０Ｂ７が入力操作されて、品質管理チェックシートの項目を変更する状態を示す。
【０１７０】
そして、図４７および図４８に示す情報変更ウィンド８６０Ａ，８６０Ｂは、例えば品質管理チェックシートの項目の内容や入力された内容などの設定を変更する変更内容をリスト表示するリストボックス８６０Ａ１，８６０Ｂ１を有している。この変更可能な項目としては、上述した図２６ないし図２８に示す各列設定ウィンド７３０Ａ〜７３０Ｂで設定された条件に基づいて変更可能とした項目である。また、情報変更ウィンド８６０Ａ，８６０Ｂには、リストボックス８６０Ａ１，８６０Ｂ１で選択した項目に変更する処理を実行するためのコマンドボタン８６０Ａ２，８６０Ｂ２と、この情報変更ウィンド８６０Ａ，８６０Ｂを閉じて検査チェックウィンド８４０Ａ，８４０Ｂあるいは検査記録ウィンド８５０Ａ，８５０Ｂを表示させるためのコマンドボタン８６０Ａ３，８６０Ｂ３と、が設けられている。なお、端末装置２００の情報変更ウィンド８６０Ａには、テキスト入力するための入力表示部８６１が設けられている。
【０１７１】
このリストボックス８６０Ａ１，８６０Ｂ１の項目が選択されコマンドボタン８６０Ａ２，８６０Ｂ２が入力操作されることにより、変更内容がネットワークを介してサーバ装置４００へ出力され、適宜記憶手段４６０に記憶、すなわち更新させる。なお、この変更内容の更新では、変更内容を更新した旨のメッセージ情報をサーバ装置４００へ送信し、さらにサーバ装置４００から他の端末装置２００や本部端末装置３００などへ配信させる。なお、この配信は、上述したように、端末装置２００や本部端末装置３００から直接配信するようにしてもよい。
【０１７２】
また、検査チェックウィンド８４０Ａ，８４０Ｂのコマンドボタン８４０Ａ６，８４０Ｂ６が入力操作されることにより、例えば図４９に示すような画面表示で表示される通知ウィンド８７０Ａが表示される。なお、この図４９は、端末装置２００に表示される画面表示である。この通知ウィンド８７０Ａは、問い合わせや確認などのために各種情報を通知するための画面表示である。
【０１７３】
この図４９に示す通知ウィンド８７０Ａには、品質管理チェックシートの少なくとも一部を表示する領域８７０Ａ１と、通知の内容を設定するための領域８７０Ａ２と、テキスト入力するための入力表示部８７０Ａ３と、が設けられている。なお、本部端末装置３００で表示される図示しない通知ウィンドには、入力表示部は設けられていない。そして、領域８７０Ａ１は、品質管理チェックシートを各項目毎すなわちＣＳＶ形式の品質管理チェックシートを構成する各セルを選択可能に表示する。なお、図４９は、領域８７０Ａ１で品質管理チェックシートの「部位」および「検査・確認項目」を表示した状態を示す。
【０１７４】
また、領域８７０Ａ２には、複数の通知の内容に対応した複数のチェックボックス８７０Ａ４が設けられている。さらに、領域８７０Ａ２には、特定の内容を通知するためにその特定の内容を入力するためのテキストボックス８７０Ｂ５が設けられてい。このこのテキストボックス８７０Ｂ５は、通知の内容である例えば「コメント」に対応するチェックボックス８７０Ａ４がチェックされることにより、入力表示部８７０Ａ３にてテキスト入力可能となる。さらに、領域８７０Ａ２には、チェックボックス８７０Ａ４でチェックされた通知の内容で通知を実施させるコマンドボタン８７０Ａ６と、この通知ウィンド８７０Ａを閉じて検査チェックウィンド８４０Ａ，８４０Ｂを表示させるコマンドボタン８７０Ａ７と、が設けられている。
【０１７５】
このコマンドボタン８７０Ａ６が入力操作されることにより、領域８７０Ａ１で選択したセルの内容や選択した行、列などの情報を、チェックボックス８７０Ａ４でチェックした内容に基づいた通知として配信する。この配信は、端末装置２００や本部端末装置３００からサーバ装置４００に通知をネットワークを介して送信する。この通知を取得したサーバ装置４００は、適宜あらかじめ設定された通信相手に他の端末装置２００や本部端末装置３００へ配信する。なお、サーバ装置４００へ送信する際に、他の端末装置２００や本部端末装置３００へ直接配信してもよい。
【０１７６】
そして、検査チェックウィンド８４０Ａ，８４０Ｂのコマンドボタン８４０Ａ７，８４０Ｂ７を入力操作して適宜最新の品質管理チェックシートをサーバ装置４００からネットワークを介して取得し、この品質管理チェックシートに基づいて適宜保守点検の結果を入力、他の担当者による保守点検の状況の確認などをする。この後、コマンドボタン８４０Ａ８，８４０Ｂ８を入力操作し、入力した確認情報をサーバ装置４００にネットワークを介して出力し、記憶手段４６０に記憶させる。さらに、端末装置２００や本部端末装置３００は、上述したように、登録した旨をサーバ装置４００へ送信し、さらにサーバ装置４００から他の端末装置２００や本部端末装置３００へ配信させる。なお、この場合にも、上述したように直接配信する構成としてもよい。
【０１７７】
また、保守点検の作業が終了し、翌日の保守点検の予定を設定する場合には、図３７および図３８に示す端末メインメニューウィンド８３０Ａ，８３０Ｂのコマンドボタン８３０Ａ５，８３０Ｂ５を入力操作する。このコマンドボタン８３０Ａ５，８３０Ｂ５の入力操作により、翌日の予定を設定入力する画面表示が表示される。例えば、端末装置２００では図５０に示すような画面表示で表示され、本部端末装置３００では図５１に示すような画面表示で表示される翌日予定ウィンド８８０Ａ，８８０Ｂが表示される。
【０１７８】
この翌日予定ウィンド８８０Ａ，８８０Ｂは、予定を設定入力するための領域８８０Ａ１，８８０Ｂ１と、保守点検の際の注意項目を選択可能にリストアップする領域８８０Ａ２，８８０Ｂ２と、を有している。領域８８０Ａ１，８８０Ｂ１には、品質管理チェックシートの少なくとも一部を表示するとともに、チェックシートの保守点検の項目毎、すなわち行毎に対応して設けられチェック入力可能な複数のチェックボックス８８０Ａ３，８８０Ｂ３が表示される。なお、図５０および図５１は、チェックにより予定作業として設定した項目を「●」で表示し、チェックせず予定作業として設定していない項目を「○」で表示する形態を示す。
【０１７９】
また、翌日予定ウィンド８８０Ａ，８８０Ｂには、チェックボックス８８０Ａ１，８８０Ｂ１のチェックおよび領域８８０Ａ２，８８０Ｂ２の注意項目の選択内容を登録するコマンドボタン８８０Ａ４，８８０Ｂ４と、品質管理チェックシートをサーバ装置４００に記憶された最新のものに更新するためのコマンドボタン８８０Ａ５，８８０Ｂ５と、この翌日予定ウィンド８８０Ａ，８８０Ｂを閉じて端末メインメニューウィンド８３０Ａ，８３０Ｂを表示させるためのコマンドボタン８８０Ａ６，８８０Ｂ６と、が設けられている。なお、端末装置２００での表示では、テキスト入力するための入力表示部８８０Ａ７が設けられている。
【０１８０】
そして、コマンドボタン８８０Ａ４，８８０Ｂ４が入力操作されると、チェックした内容および選択した注意項目がネットワークを介してサーバ装置４００に送信され、サーバ装置４００の記憶手段４６０に適宜記憶される。
【０１８１】
このようにして、端末装置２００や本部端末装置３００で工事品質管理支援システム１００のアプリケーションソフトウェアにて保守点検が実施される。
【０１８２】
（確認情報の利用）
次に、保守点検の作業が終了し、保守点検により取得した確認情報を利用する動作をより詳細に図面を参照して説明する。なお、この確認情報の利用として、本部端末装置３００を利用する場合について説明するが、例えば直接サーバ装置４００を用いたり、端末装置２００を用いたりしてもよい。
【０１８３】
まず、例えば保守点検の進捗状況などを認識するために確認情報の履歴状況を確認する場合、例えば本部端末装置３００でアプリケーションソフトウェアを起動し、図５に示すメインメニューウィンド５１０を表示させる。さらに、メインメニューウィンド５１０のコマンドボタン５１３を入力操作し、第１のログインウィンド８１０Ｂおよび第２のログインウィンド８２０Ｂで、いずれの工事に関する確認情報の履歴情報を確認するかを設定入力し、操作メニューウィンド８３０Ｂを表示させる。この操作メニューウィンド８３０Ｂのコマンドボタン８３０Ｂ６を操作することにより、確認情報の履歴などが確認できる。具体的には、コマンドボタン８３０Ｂ６の入力操作により、図５２に示すような画面表示で表示される履歴表示ウィンド９００が表示される。
【０１８４】
この図５２に示す履歴表示ウィンド９００には、保守点検の内容の変更に関する履歴を表示する領域９０１と、保守点検の結果に関する履歴を表示する領域９０２と、が設けられている。これら領域９０１，９０２では、各履歴情報を時系列で表示する。なお、図５２では、履歴情報を一覧表示しているが、一覧表示できない数であれば、スクロール表示させるとよい。また、履歴表示ウィンド９００には、この履歴表示ウィンド９００を閉じて操作メニューウィンド８３０Ｂを表示させるコマンドボタン９０３が設けられている。このように、履歴表示ウィンド９００で表示される領域９０１，９０２に表示される情報を確認することで、例えば保守点検の進捗状況が容易把握可能となる。
【０１８５】
また、確認情報を用いて報告書などの書面を作成する場合、操作メニューウィンド８３０Ｂのコマンドボタン８３０Ｂ７を入力操作する。このコマンドボタン８３０Ｂ７の入力操作により、書面を作成するための画面表示、例えば図５３に示すような画面表示で表示される印刷ウィンド９１０が表示される。
【０１８６】
この印刷ウィンド９１０には、品質管理チェックシートを選出するために品質管理チェックシートの名称を設定入力するためのテキストボックス９１１と、検査記録チャートを選出するために検査記録チャートの名称を設定入力するためのテキストボックス９１２と、保守点検の項目の内訳をリスト表示する領域９１３と、印刷するフォームをリスト表示する領域９１４と、を有している。領域９１３には、保守点検の項目の内訳毎にチェックボックス９１３Ａを関連付けて表示し、内訳を選択可能となっている。領域９１４も同様に、印刷するフォーム毎にチェックボックス９１４Ａが関連付けて表示し、フォームを選択可能となっている。さらに、印刷ウィンド９１０には、テキストボックス９１１，９１２および領域９１３，９１４で入力された各項目に基づいて対応する確認情報の印刷を実行させるためのコマンドボタン９１５と、この印刷ウィンド９１０を閉じて操作メニューウィンド８３０Ｂを表示させるためのコマンドボタン９１６と、が設けられている。
【０１８７】
このようにして、保守点検により取得されてサーバ装置４００に記憶された確認情報を適宜確認や報告書などの文書として印刷するなどの利用が容易に得られる。
【０１８８】
〔実施の形態の効果〕
上述したように、上記実施の形態では、サーバ装置４００のリスト作成手段４５２により、確認事項情報データベース４６１に記憶された保守点検事項に関する複数の保守点検事項の情報を適宜選出し、この保守点検事項に対して保守点検した内容に関する確認情報の設定入力を促すチェックリスト情報を有した品質管理チェックシートを作成し、通信手段４４０にて端末装置２００や本部端末装置３００に配信する。また、通信手段４４０により、端末装置２００や本部端末装置３００から設定入力された確認情報を他の端末装置２００や本部端末装置３００にて確認できるように配信可能に受信して確認情報データベース４６３に記憶する。
【０１８９】
このため、保守点検事項情報を統括して記憶し、適宜保守点検する対象に対応してチェックリスト情報を作成すればよく、例えば保守点検などの確認作業場所で所望の対応するチェックリスト情報の取得が容易にでき、保守点検の際の書類の記載や持ち運びなどの煩雑さを解消でき、効率よく保守点検が容易にできる。また、配信される他の端末装置２００や本部端末装置３００からの確認情報により、第３者による保守点検の状況の確認がなされ、例えば保守点検漏れなどがなく確実な保守点検が容易にできるとともに、他の場所などで実行されている保守点検の担当者に無線や携帯電話などにて確認したり、定時の進捗会議などで確認するなどの煩雑さなどを防止でき、進捗状況や確認事項などの迅速な認識が容易にでき、保守点検の進捗管理が容易にできる。
【０１９０】
また、通信手段４４０により、端末装置２００や本部端末装置３００から取得した確認情報をチェックリスト情報に重畳して表示可能に配信する。このため、他の端末装置２００や本部端末装置３００における保守点検の実施による確認情報を、同一のチェックリスト情報を利用して同様なコマンドボタンの操作などにより容易に認識することができ、同一の情報を利用することによる情報管理も容易にできる。
【０１９１】
さらに、作成したチェックリスト情報を記憶手段４６０のチェックリストデータベース４６２に読み出し可能に記憶する。このため、例えば従前の保守点検と同一の保守点検を実施する場合に、改めてチェックリスト情報を作成する必要がなく、統括してチェックリスト情報を管理することで、円滑な運用を図ることができる。
【０１９２】
また、通信手段４４０にて取得した確認情報を記憶手段４６０の確認情報データベースに読み出し可能に記憶する。このため、確認情報を統括して管理することで、例えば保守点検などの確認結果に基づいて報告書を作成したり、確認情報に基づく確認した事項の動向判断のための資料とするなど、取得した情報の有効活用が容易にでき、運用性の向上を容易に図ることができる。
【０１９３】
そして、サーバ装置４００の報告情報作成手段４５４により、通信手段４４０にて取得した確認情報に基づいて、記憶手段４６０に記憶された報告フォームを選出して確認情報を報告するための報告情報を作成、すなわち、報告フォームに確認情報を重畳して報告書として印刷などの出力をする。このため、自動的に確認情報を報告するための報告情報を作成でき、確認情報に基づく報告が容易にでき、容易に円滑な運用ができる。
【０１９４】
また、複数の保守点検事項情報が時系列で構成されたチェックリスト情報に入力規制を解除する構成を設けたため、例えば必ず保守点検の作業者以外の監督者が確認してチェックボックス５１２をチェックする確認情報の入力が完了しないと、次の保守点検の確認情報の入力ができないように設定入力が規制されるので、漏れなく保守点検が実施でき、確実な保守点検が容易に得られる。
【０１９５】
さらに、保守点検事項に所定の確認すべき事項の種別に関する種別事項である例えばＩＴＥＭ番号や工事種類の番号、工事番号などを関連付けて保守点検事項情報を記憶手段４６０に格納し、所定の事項に対する確認のためのチェックリスト情報の作成を要求する旨のリスト作成要求を認識することにより、リスト作成手段４５２により、リスト作成要求を構成する所定の事項の種別に関する種別事項に基づいて記憶手段４６０に記憶された対応する保守点検事項情報を選出してチェックリストに関するチェックリスト情報を作成する。このため、端末装置２００や本部端末装置３００における所定の保守点検に対応した所望のチェックリスト情報の配信・取得が容易にでき、容易に円滑な運用ができる。
【０１９６】
また、リスト作成要求の認識の際に端末装置２００や本部端末装置３００の固有の情報であるアドレス情報を取得し、通信手段４４０により、取得したアドレス情報に基づいて作成したチェックリスト情報を所定の端末装置２００や本部端末装置３００に配信する。このため、端末装置２００や本部端末装置３００毎に対応した所望の保守点検のチェックリスト情報の配信が容易にできる。
【０１９７】
そして、確認する被確認対象物に関するＩＴＥＭ番号や工事種類の番号、工事番号などの種別情報である対象物情報を関連付けてチェックリスト情報を記憶手段４６０に記憶し、所定の保守点検のためのチェックリスト情報の作成を要求する旨のリスト作成要求を認識することにより、リスト作成要求を構成する対象物情報に基づいて記憶手段４６０に記憶されたチェックリスト情報を選出する。このため、従前に実施した保守点検と同内容の保守点検を実施する際に改めてチェックリスト情報を作成する必要がなく、統括して記憶されたチェックリスト情報から選出するのみで容易に取得できる。さらには、対象物情報を関連付けるのみで容易に所望のチェックリスト情報を取得でき、情報管理が容易な簡単な構成でチェックリスト情報の検索が容易にできる。
【０１９８】
また、確認情報の設定入力を案内する設定入力案内情報を記憶手段から取得することを要求する旨の入力情報をチェックリスト情報に設ける、すなわち品質管理チェックシートの一部として技術標準や仕様書・要領書、図面などの保守点検を実施する上での案内となる案内情報を表示させる各種コマンドボタンを設け、適宜表示可能としている。このため、端末装置２００や本部端末装置３００にて品質管理チェックシートに基づいて確認情報を設定入力、例えば保守点検の際の計測や測定をする箇所やその箇所における基準値などを容易に認識でき、計測や測定が容易にできるなどの保守点検作業が容易にでき、効率的な保守点検が容易にできる。
【０１９９】
そして、常に最新の情報を取得できるようにしているため、保守点検の状況に対応して迅速に保守点検を実施することができる。
【０２００】
さらに、記憶手段４６０で統括して管理する保守点検事項を適宜選出してチェックリスト情報を作成するため、あらかじめ保守点検事項を設定しておけば、構成は異なっても同系列のプラントなど似たような保守点検を実施するためのチェックリスト情報すなわち品質管理チェックシートを容易に作成でき、保守点検を実施するための準備期間を短縮でき、効率的な保守点検ができる。さらには、保守点検事項毎が１つの情報として扱われるため、例えばチェックリスト情報の未実施の保守点検事項を選択するなどして登録することにより、進捗管理として予定表の作成も容易にでき、効率的な保守点検ができるとともに、他の端末装置２００や本部端末装置３００でも予定表を確認できることから、進捗管理も容易にでき、円滑な運用ができる。
【０２０１】
そして、サーバ装置４００にプログラムとして各構成を構築させるので、例えば汎用のコンピュータを利用してコンピュータにインストールすることにより、上述した保守点検のための工事品質管理支援システム１００で制御するための動作をコンピュータに実行させることができ、本発明の利用促進を大幅に図ることができる。
【０２０２】
〔他の実施の形態〕
なお、本発明は、上記実施の形態に限定されるものではなく、実施の際の具体的な構造および形状、方法など、本発明の目的を達成できる範囲で様々に応用しその変形をも含むものである。
【０２０３】
例えば、プラントなどの保守点検を実施するシステム構成で説明したが、例えば動植物の状態などを観察や管理するなどの確認や貯蔵された書物の貯蔵状態の確認など、いずれのものを対象とすることができ、その対象物の状態などをチェックリストを利用して確認した情報を管理するいずれの構成にも利用することができる。
【０２０４】
また、サーバ装置４００にネットワークを介して端末装置２００や本部端末装置３００を接続してシステムとして構築した構成について説明したが、単にチェックリストを利用して確認した情報を管理するための進捗管理装置やコンピュータに読み取り可能なプログラム、そのプログラムを記録した記録媒体の形態とすることもできる。
【０２０５】
そして、確認情報をチェックリストに重畳表示させる構成に限らず、例えば上記実施の形態でも記載したように、コマンドボタンによりリンクされた確認情報を表示させる構成とすることもできる。
【０２０６】
また、チェックリスト情報を記録せず、確認毎にチェックリスト情報を作成するようにしてもよい。
【０２０７】
さらに、確認情報をデータベースに記憶させて蓄積させる構成に限らず、他の端末装置２００や本部端末装置３００に配信可能に一時的に記憶させておく構成とすることもできる。
【０２０８】
そして、確認情報を報告フォームとリンクや重畳させて報告書などを作成・印刷できるようにして説明したが、報告フォームを記憶させておかず、報告書を作成しない構成としてもよい。
【０２０９】
また、コマンドボタンなどの入力操作により最新の情報を取得できる構成としたが、例えばサーバ装置４００から最新の情報を配信して端末装置２００や本部端末装置３００に置き換えさせるなどしてもよい。さらには、定時的に各種情報を取得できるようにしてもよい。この構成によれば、最新の情報を取得するための操作が不要で自動的に情報の取得ができ、操作性を向上できる。さらには、監督者などの第３者による統括的な確認情報の取得により、確実な確認が効率的にできる。
【０２１０】
そして、保守点検事項を時系列に構成したチェックリストに限らず、例えば保守点検の内容毎にグループ分けして構成するなど、いずれの構成とすることもできる。
【０２１１】
また、チェックリストに入力規制を解除する構成を設けたが、例えばサーバ装置４００の演算手段４５０に入力を規制する設定入力手段を別途設け、通信手段４４０にて所定の確認情報を端末装置２００や本部端末装置３００から取得した場合に、その確認情報に対応する保守点検事項以降の保守点検事項に対応する確認情報の設定入力を可能に制御させるなどしてもよい。この構成としても、保守点検などの確認漏れを防止できる。
【０２１２】
そして、入力手段４２０のチェックリストを作成する入力操作により、チェックリストを作成して説明したが、例えば、端末装置２００や本部端末装置３００からの入力操作によるリスト作成要求に基づいて作成してもよい。
【０２１３】
さらに、所定の確認情報を取得した場合には、報知する構成としたが、報知させなくてもよい。さらには、自動的にその確認情報を配信するようにしてもよい。
【０２１４】
その他、本発明の実施の際の具体的な構造および手順は、本発明の目的を達成できる範囲で他の構造などに適宜変更できる。
【０２１５】
【発明の効果】
本発明によれば、複数の確認事項情報を適宜選出し、確認事項情報に対して確認した内容に関する確認情報の設定入力を促すチェックリストに関するチェックリスト情報を作成して端末装置に配信し、端末装置から設定入力された確認情報を配信可能に受信するため、確認事項情報を統括して記憶し、適宜確認する対象に対応してチェックリストを作成すればよく、例えば保守点検などの確認作業場所で所望のチェックリストの取得が容易にでき、書類の記載や持ち運びなどの煩雑さを解消し、効率よく保守点検などの諸事項を容易に確認できるとともに、配信される他の端末装置からの確認情報により、第３者による確認ができ、確実な確認が容易にでき、進捗状況や確認事項などの迅速な認識が容易にできる。
【図面の簡単な説明】
【図１】本発明の一実施の形態に係る工事品質管理支援システムの概略構成を示す概念図である。
【図２】前記一実施の形態におけるサーバ装置の構成を示すブロック図である。
【図３】前記一実施の形態における工事品質管理支援システムの運用準備動作を示すフローチャートである。
【図４】前記一実施の形態における工事品質管理支援システムを利用するための準備動作を示すフローチャートである。
【図５】前記一実施の形態におけるメインメニューウィンドの画面表示を示す説明図である。
【図６】前記一実施の形態におけるパスワード入力ウィンドの画面表示を示す説明図である。
【図７】前記一実施の形態における管理マスタ作成ウィンドの画面表示を示す説明図である。
【図８】前記一実施の形態における管理区分ウィンドの画面表示を示す説明図である。
【図９】前記一実施の形態におけるチェックシート設定ウィンドの画面表示を示す説明図である。
【図１０】前記一実施の形態におけるチェックシート作成ウィンドの画面表示を示す説明図である。
【図１１】前記一実施の形態における検査記録設定ウィンドの画面表示を示す説明図である。
【図１２】前記一実施の形態におけるシート編集ウィンドの画面表示を示す説明図である。
【図１３】前記一実施の形態における入力範囲設定ウィンドの画面表示を示す説明図である。
【図１４】前記一実施の形態における表示範囲設定ウィンドの画面表示を示す説明図である。
【図１５】前記一実施の形態における画像ファイル設定ウィンドの画面表示を示す説明図である。
【図１６】前記一実施の形態におけるＩＴＥＭ番号設定ウィンドの画面表示を示す説明図である。
【図１７】前記一実施の形態における担当者設定ウィンドの画面表示を示す説明図である。
【図１８】前記一実施の形態における担当者編集ウィンドの画面表示を示す説明図である。
【図１９】前記一実施の形態における権限設定ウィンドの画面表示を示す説明図である。
【図２０】前記一実施の形態における端末設定ウィンドの画面表示を示す説明図である。
【図２１】前記一実施の形態における端末編集ウィンドの画面表示を示す説明図である。
【図２２】前記一実施の形態における安全管理項目設定ウィンドの画面表示を示す説明図である。
【図２３】前記一実施の形態における工事登録ウィンドの画面表示を示す説明図である。
【図２４】前記一実施の形態におけるチェックシート編集ウィンドの画面表示を示す説明図である。
【図２５】前記一実施の形態における行設定ウィンドの画面表示を示す説明図である。
【図２６】前記一実施の形態における１つの列設定ウィンドの画面表示を示す説明図である。
【図２７】前記一実施の形態における他の列設定ウィンドの画面表示を示す説明図である。
【図２８】前記一実施の形態におけるさらに他の列設定ウィンドの画面表示を示す説明図である。
【図２９】前記一実施の形態における文書設定ウィンドの画面表示を示す説明図である。
【図３０】前記一実施の形態における工事品質管理支援システムを利用した保守点検動作を示すフローチャートである。
【図３１】前記一実施の形態における工事品質管理支援システムを利用した保守点検動作における変更を示すフローチャートである。
【図３２】前記一実施の形態における工事品質管理支援システムを利用した保守点検動作を示すフローチャートである。
【図３３】前記一実施の形態における端末装置における第１のログインウィンドの画面表示を示す説明図である。
【図３４】前記一実施の形態における本部端末装置における第１のログインウィンドの画面表示を示す説明図である。
【図３５】前記一実施の形態における端末装置における第２のログインウィンドの画面表示を示す説明図である。
【図３６】前記一実施の形態における本部端末装置における第２のログインウィンドの画面表示を示す説明図である。
【図３７】前記一実施の形態における端末装置における操作メニューウィンドの画面表示を示す説明図である。
【図３８】前記一実施の形態における本部端末装置における操作メニューウィンドの画面表示を示す説明図である。
【図３９】前記一実施の形態における端末装置における検査チェックウィンドの画面表示を示す説明図である。
【図４０】前記一実施の形態における端末装置における検査チェックウィンドの画面表示を示す説明図である。
【図４１】前記一実施の形態における端末装置における検査チェックウィンドの画面表示を示す説明図である。
【図４２】前記一実施の形態における端末装置における検査チェックウィンドの画面表示を示す説明図である。
【図４３】前記一実施の形態における本部端末装置における検査チェックウィンドの画面表示を示す説明図である。
【図４４】前記一実施の形態における端末装置における検査記録ウィンドの画面表示を示す説明図である。
【図４５】前記一実施の形態における端末装置における検査記録ウィンドの画面表示を示す説明図である。
【図４６】前記一実施の形態における本部端末装置における検査記録ウィンドの画面表示を示す説明図である。
【図４７】前記一実施の形態における端末装置における情報変更ウィンドの画面表示を示す説明図である。
【図４８】前記一実施の形態における本部端末装置における情報変更ウィンドの画面表示を示す説明図である。
【図４９】前記一実施の形態における端末装置における通知ウィンドの画面表示を示す説明図である。
【図５０】前記一実施の形態における端末装置における翌日予定ウィンドの画面表示を示す説明図である。
【図５１】前記一実施の形態における本部端末装置における翌日予定ウィンドの画面表示を示す説明図である。
【図５２】前記一実施の形態における本部端末装置における履歴表示ウィンドの画面表示を示す説明図である。
【図５３】前記一実施の形態における本部端末装置における印刷ウィンドの画面表示を示す説明図である。
【符号の説明】
１００    進捗管理システムを構成する工事品質管理支援システム
２００    端末装置
２１０    表示手段としての端末表示手段
２２０    入力手段としての端末入力手段
３００    端末装置である本部端末装置
３１０    表示手段としての本部表示手段
３２０    入力手段としての本部表示手段
４００    進捗管理装置を構成するサーバ装置
４４０    通信手段
４５０    演算手段
４５２    リスト作成手段
４５４    報告情報作成手段
４６０    記憶手段
５１０    チェックリストであるチェックリストフォーム
５３０    種別事項となるテキストボックス
５４０    報告フォームである報告フォームウィンド
【図１】
2004227307.tif 000003
【図２】
2004227307.tif 000004
【図３】
2004227307.tif 000005
【図４】
2004227307.tif 000006
【図５】
2004227307.tif 000007
【図６】
2004227307.tif 000008
【図７】
2004227307.tif 000009
【図８】
2004227307.tif 000010
【図９】
2004227307.tif 000011
【図１０】
2004227307.tif 000012
【図１１】
2004227307.tif 000013
【図１２】
2004227307.tif 000014
【図１３】
2004227307.tif 000015
【図１４】
2004227307.tif 000016
【図１５】
2004227307.tif 000017
【図１６】
2004227307.tif 000018
【図１７】
2004227307.tif 000019
【図１８】
2004227307.tif 000020
【図１９】
2004227307.tif 000021
【図２０】
2004227307.tif 000022
【図２１】
2004227307.tif 000023
【図２２】
2004227307.tif 000024
【図２３】
2004227307.tif 000025
【図２４】
2004227307.tif 000026
【図２５】
2004227307.tif 000027
【図２６】
2004227307.tif 000028
【図２７】
2004227307.tif 000029
【図２８】
2004227307.tif 000030
【図２９】
2004227307.tif 000031
【図３０】
2004227307.tif 000032
【図３１】
2004227307.tif 000033
【図３２】
2004227307.tif 000034
【図３３】
2004227307.tif 000035
【図３４】
2004227307.tif 000036
【図３５】
2004227307.tif 000037
【図３６】
2004227307.tif 000038
【図３７】
2004227307.tif 000039
【図３８】
2004227307.tif 000040
【図３９】
2004227307.tif 000041
【図４０】
2004227307.tif 000042
【図４１】
2004227307.tif 000043
【図４２】
2004227307.tif 000044
【図４３】
2004227307.tif 000045
【図４４】
2004227307.tif 000046
【図４５】
2004227307.tif 000047
【図４６】
2004227307.tif 000048
【図４７】
2004227307.tif 000049
【図４８】
2004227307.tif 000050
【図４９】
2004227307.tif 000051
【図５０】
2004227307.tif 000052
【図５１】
2004227307.tif 000053
【図５２】
2004227307.tif 000054
【図５３】
2004227307.tif 000055